(57)【要約】【課題】複数のユーザが容易に編集に参加することが可能な写真撮影プリント装置等を提供する。【解決手段】写真撮影プリント装置１は、ユーザを撮影して画像を得る撮影機能を提供する撮影制御部１２、撮影制御部１２が提供する撮影機能により得られた画像を編集する編集機能を提供する編集制御部１３および通信制御部１５を備えている。そして、編集制御部１３が、画像を編集するための上記ユーザによる操作を受け付け、受け付けた操作に応じて、画像を編集し、編集した画像を表示するための画像編集処理部１３１を備え、通信制御部１５が、所定の時間間隔、および、画像編集処理部１３１による編集により画像が更新されたタイミングの少なくとも一方において、画像編集処理部１３１が編集している画像を、携帯端末１００に対して送信する画像送信処理部１５２と、を備える。【選択図】図１
2010128967.tif 000002
【特許請求の範囲】
【請求項１】
ユーザを撮影して画像を得る撮影機能を提供する撮影機能提供手段と、
上記撮影機能提供手段が提供する撮影機能により得られた画像を編集する編集機能を提供する編集機能提供手段とを備える撮影画像編集装置において、
上記編集機能提供手段が、
外部の画像処理端末との通信を制御する通信制御手段と、
画像を編集するための上記ユーザによる操作を受け付ける操作受付手段と、
上記操作受付手段が受け付けた操作に応じて、画像を編集する画像編集手段と、
上記画像編集手段が編集した画像を表示するための表示手段と、
所定の時間間隔、および、上記画像編集手段による編集により画像が更新されたタイミングの少なくとも一方において、上記画像編集手段が編集している画像を、上記外部の画像処理端末に対して、上記通信制御手段を介して送信する画像送信手段と、を備えることを特徴とする撮影画像編集装置。
【請求項２】
上記通信制御手段は、上記外部の画像処理端末との無線通信を制御するものであり、
さらに、上記外部の画像処理端末が備える非接触型ＩＣ（integrated circuit）であって、該外部の画像処理端末の上記無線通信における通信先を示す情報を含む通信情報が記憶された非接触型ＩＣから、該通信情報を読み取る読み取り部を備え、
上記通信制御手段は、上記読み取り部が読み取った上記通信情報に基づいて、上記外部の画像処理端末との無線通信を制御し、
上記画像送信手段は、上記画像編集手段が編集している画像を、上記通信制御手段を介して上記外部の画像処理端末に送信することを特徴とする請求項１に記載の撮影画像編集装置。
【請求項３】
上記編集機能提供手段は、上記編集機能の提供に対する所定の制限時間が経過したことにより上記編集機能の提供を終了することを特徴とする請求項１または２に記載の撮影画像編集装置。
【請求項４】
さらに、上記画像送信手段が送信した画像に編集が加えられた加工画像を受信する加工画像受信手段と、
上記加工画像受信手段が受信した加工画像に加えられた加工の内容を、上記画像編集手段が編集している画像に反映する反映手段とを備え、
上記表示手段は、上記反映手段によって上記加工の内容が反映された画像を表示し、
上記画像編集手段は、上記反映手段によって上記加工の内容が反映された画像を編集することを特徴とする請求項１から３のいずれか１項に記載の撮影画像編集装置。
【請求項５】
さらに、上記画像編集手段が編集している画像の特定の領域の加工を制限する制限情報を生成する制限情報生成手段を備え、
上記画像送信手段は、上記画像編集手段が編集している画像とともに、上記制限情報生成手段が生成した制限情報を送信することを特徴とする請求項４に記載の撮影画像編集装置。
【請求項６】
さらに、上記画像編集手段が編集している複数の画像を縮小したサムネイル画像を送信するサムネイル画像送信手段を備え、
上記画像送信手段は、上記サムネイル画像送信手段が送信したサムネイル画像から選択された画像の送信要求に応じて、選択された画像を送信することを特徴とする請求項１から５のいずれか１項に記載の撮影画像編集装置。
【請求項７】
上記通信制御手段は、上記操作受付手段における操作に基づいて、上記外部の画像処理端末との通信を切断することを特徴とする請求項１から６のいずれか１項に記載の撮影画像編集装置。
【請求項８】
通信ネットワークに接続するための通信接続手段と、
請求項１に記載の撮影画像編集装置が備える上記画像送信手段から送信される画像を、上記通信接続手段を介して受信するための画像受信手段と、
上記画像受信手段が受信した画像を表示するための表示手段と、を備える画像処理端末。
【請求項９】
近距離無線通信ネットワークにおける通信先を示す情報を含む通信情報が記憶された非接触型ＩＣと、
上記非接触型ＩＣに記憶された通信情報を請求項２に記載の撮影画像編集装置が備える読み取り部に読み取らせることにより、上記撮影画像編集装置と、近距離無線通信ネットワークを介して接続するための通信接続手段と、
上記撮影画像編集装置が備える画像送信手段から送信される画像を、上記通信接続手段を介して受信するための画像受信手段と、
上記画像受信手段が受信した画像を表示するための表示手段と、を備えることを特徴とする画像処理端末。
【請求項１０】
通信ネットワークに接続するための通信接続手段と、
請求項４に記載の撮影画像編集装置が備える上記画像送信手段から送信される画像を、上記通信接続手段を介して受信するための画像受信手段と、
上記画像受信手段が受信した画像を表示するための表示手段と、
上記画像受信手段が受信した画像を加工する画像加工手段と、
上記画像加工手段が加工した画像を、上記撮影画像編集装置が備える加工画像受信手段に送信する加工画像送信手段と、を備えることを特徴とする画像処理端末。
【請求項１１】
通信ネットワークに接続するための通信接続手段と、
請求項５に記載の撮影画像編集装置が備える画像送信手段から送信される画像および制限情報を受信する画像受信手段と、
上記画像受信手段が受信した画像を加工する画像加工手段と、
上記画像加工手段が加工した画像を、上記撮影画像編集装置が備える加工画像受信手段に送信する加工画像送信手段と、を備え、
上記画像加工手段は、上記画像受信手段が受信した制限情報に基づいて、画像の加工を制限することを特徴とする記載の画像処理端末。
【請求項１２】
ユーザを撮影して画像を得るための撮影機能と、撮影機能により得られた画像を編集する編集機能とを提供する撮影画像編集装置の制御方法において、
画像を編集するための上記ユーザによる操作を受け付ける操作受付ステップと、
上記操作受付ステップにおいて受け付けられた操作に応じて、画像を編集する画像編集ステップと、
上記画像編集ステップにおいて編集された画像を表示するための表示ステップと、
所定の時間間隔、および、上記画像編集ステップにおいて編集により画像が更新されたタイミングの少なくとも一方において、上記画像編集ステップにおいて編集されている画像を、外部の画像処理端末に対して、送信する画像送信ステップと、を含むことを特徴とする撮影画像編集装置の制御方法。
【請求項１３】
請求項１から７のいずれか１項に記載の撮影画像編集装置を動作させるための撮影画像編集装置制御プログラムであって、コンピュータを上記各手段として機能させるための撮影画像編集装置制御プログラム。
【請求項１４】
請求項１３に記載の撮影画像編集装置制御プログラムを記録したコンピュータ読み取り可能な記録媒体。
【請求項１５】
請求項８から１１のいずれか１項に記載の画像処理端末を動作させるための画像処理端末制御プログラムであって、コンピュータを上記各手段として機能させるための画像処理端末制御プログラム。
【請求項１６】
請求項１５に記載の画像処理端末制御プログラムを記録したコンピュータ読み取り可能な記録媒体。
【発明の詳細な説明】
【技術分野】
【０００１】
本発明は、複数のユーザが容易に編集に参加することが可能な撮影画像編集装置、画像処理端末、撮影画像編集装置の制御方法、撮影画像編集装置および画像処理端末制御プログラム、およびそれらのコンピュータ読み取り可能な記録媒体に関するものである。
【背景技術】
【０００２】
従来、例えばゲームセンターなどの娯楽施設において、ユーザを撮影して得られた撮影画像や、撮影画像に対して背景画像や前景画像の合成等の編集（落書き）を施した編集画像を写真シール紙に印刷するという一連のゲームを提供する写真撮影プリント装置が設置されており、人気を博している。また、一般的に普及している写真撮影プリント装置では、撮影画像にタッチペンなどで任意の文字や図形やスタンプ画像を合成する編集機能を提供している。また、写真撮影プリント装置で作成した撮影画像や編集画像をデジタルデータとして、ユーザの携帯端末等に保存するサービスを行うものも多く存在する。
【０００３】
このような写真撮影プリント装置の主なユーザは、女子中学生や女子高校生であり、これらのユーザは、例えば、友達同士のグループで、複数人で写真撮影プリント装置を利用して、一連のゲームを楽しむ場合が多い。
【０００４】
ところで、たいていの写真撮影プリント装置では、ゲームに制限時間を設けている。このため、制限時間内に撮影、編集、印刷、画像の取得・保存といった処理を終えられない場合もある。特に、各処理は、一度に処理できる定員に上限があるため、複数人でゲームを楽しむ場合には、制限時間内に各処理を終えられない可能性がより高くなる。また、写真撮影プリント装置において、ゲームの待ち時間を減らしてユーザの回転率を向上することが望まれている。
【０００５】
そこで、これまで、写真撮影プリント装置において、より多くのユーザが効率よくゲームを楽しめるようにするため次のような技術が提案されてきた。
【０００６】
まず、複数の編集用インターフェースを写真撮影プリント装置に設置し、複数人が同時に編集機能を利用できるような技術が提案されている。例えば、特許文献１には、写真撮影プリント装置において、編集機能を提供する編集画面を２つ設けて、２人のユーザが同時に編集機能を利用することができるようにすることが開示されている。その他にも、特許文献２、３において、２人のユーザが同時に編集機能を利用することができるように工夫されている。
【０００７】
また、写真撮影プリント装置を利用する各ユーザが迅速に撮影画像や編集画像を取得できるような技術が提案されている。例えば、近年、通信機能を備えた写真撮影プリント装置において、編集が終了した後、撮影画像や編集画像を写真シール紙に印刷するまでの間に、撮影画像や編集画像を各ユーザが所持している携帯端末へ送信する技術が提案されている。さらには、編集処理の途中に通信機能を用いて携帯端末に撮影画像や編集画像に送信する技術も提案されている（例えば、特許文献２）。
【０００８】
なお、写真撮影プリント装置で作成した画像をサーバなどに保存して、ゲーム終了後にユーザがサーバの保存先ＵＲＬにアクセスすると、それらの画像を閲覧もしくはダウンロードできるようにする技術等も提案されている（例えば、特許文献３）。
【特許文献１】特開２００２−１８５８９２号公報（２００２年６月２８日公開）
【特許文献２】特開特開２００８−６１２２５号公報（２００８年３月１３日公開）
【特許文献３】特開２００３−３３３５７３号公報（２００３年１１月２１日公開）
【発明の開示】
【発明が解決しようとする課題】
【０００９】
しかしながら、上記従来の構成では、以下のような問題を生じる。まず、複数の編集用インターフェースを写真撮影プリント装置に設置する構成では、編集機能を提供する編集画面の設置数よりも多いユーザが利用する場合、ユーザが編集処理を交代で行わなければならず、編集処理に参加できないユーザがいた。具体的には、上記特許文献１に記載の技術では、３人以上のユーザが写真撮影プリント装置を利用する場合、２人しか編集機能を利用できず、残りの１人は唯待つだけで、３人が同時に編集を楽しむことができなかった。
【００１０】
また、編集または印刷処理の途中に編集画像を送信する構成では、単に編集途中あるいは編集後の編集画像を各ユーザの携帯端末に送信して、送信された編集画像を携帯端末で保存するのみにとどまっていた。具体的には、上記特許文献２に記載の技術では、編集画像を確認するには、携帯端末において、送信された編集画像を読み出す必要があった。
【００１１】
さらには、上記引用文献２に記載の技術では、写真撮影プリント装置と、携帯端末とが指向性のある赤外線通信によりデータ通信を行うので、写真撮影プリント装置の送信部と、携帯端末の受信部との向きを合わせなければデータ通信を行うことができず不便であった。
【００１２】
そして、サーバを用いた構成では、サーバにアクセスすれば、ゲーム終了後にも画像を確認することができるが、サーバにアクセスするには、ダウンロードサービスを提供しているサイトでのユーザ登録が必要であり、さらにはアクセスの際の認証処理において、暗証番号の入力等の操作が必要であるため不便であった。
【００１３】
本発明は、上記の問題点に鑑みてなされたものであり、その目的は、設置されている編集用インターフェースの数をこえる複数のユーザが容易に編集に参加することが可能な撮影画像編集装置、画像処理端末、撮影画像編集装置の制御方法、撮影画像編集装置制御プログラム、画像処理端末制御プログラム、およびそれらのコンピュータ読み取り可能な記録媒体を実現することにある。
【課題を解決するための手段】
【００１４】
上記課題を解決するために、本発明に係る撮影画像編集装置は、ユーザを撮影して画像を得る撮影機能を提供する撮影機能提供手段と、上記撮影機能提供手段が提供する撮影機能により得られた画像を編集する編集機能を提供する編集機能提供手段とを備える撮影画像編集装置において、上記編集機能提供手段が、外部の画像処理端末との通信を制御する通信制御手段と、上記撮影画像を編集するための上記ユーザによる操作を受け付ける操作受付手段と、上記操作受付手段が受け付けた操作に応じて、画像を編集する画像編集手段と、上記画像編集手段が編集した画像を表示するための表示手段と、所定の時間間隔、および、上記画像編集手段による編集により画像が更新されたタイミングの少なくとも一方において、上記画像編集手段が編集している画像を、上記外部の画像処理端末に対して、上記通信制御手段を介して送信する画像送信手段と、を備えることを特徴としている。
【００１５】
また、上記課題を解決するために、本発明に係る撮影画像編集装置の制御方法は、ユーザを撮影して画像を得るための撮影機能と、撮影機能により得られた画像を編集する編集機能とを提供する撮影画像編集装置の制御方法において、上記撮影画像を編集するための上記ユーザによる操作を受け付ける操作受付ステップと、上記操作受付ステップにおいて受け付けられた操作に応じて、画像を編集する画像編集ステップと、上記画像編集ステップにおいて編集された画像を表示するための表示ステップと、所定の時間間隔、および、上記画像編集ステップにおいて編集により画像が更新されたタイミングの少なくとも一方において、上記画像編集ステップにおいて編集されている画像を、外部の画像処理端末に対して、送信する画像送信ステップと、を含むことを特徴としている。
【００１６】
本発明に係る撮影画像編集装置および撮影画像編集装置の制御方法では、ユーザを撮影して画像を得るための撮影機能と、撮影機能により得られた画像を編集する編集機能とを提供する。
【００１７】
上記構成では、撮影画像を編集するための操作を受け付けたり、編集した画像を表示したりする編集用インターフェースを備えている。ここで、編集とは、具体的には、画像に対して合成用画像を追加したり、ペンツールなどの描画ツールにより任意の線画像を描き込んだりする処理のことをいう。
【００１８】
また、上記構成により、この画像編集機能では、編集した画像を表示する一方で、所定の時間間隔および／または編集している画像の更新のタイミングにおいて、編集した画像を、通信ネットワークを介して送信する。これにより、撮影画像編集装置が、ある時点で編集している画像を、外部の画像処理端末に対して、いわゆるリアルタイムで送信することができる。
【００１９】
この結果、撮影画像編集装置の編集用インターフェースで編集を行っているユーザ以外のユーザの端末等において最新の画像を受信することができる。よって、単に撮影画像編集装置の編集用インターフェースで編集を行っているユーザが、編集した画像を確認できるだけでなく、それ以外のユーザが、撮影画像編集装置における編集の過程を知ることができる。
【００２０】
すなわち、撮影画像編集装置が備える編集用インターフェースの数をこえる複数のユーザが編集の過程に参加することが可能となる。
【００２１】
また、本発明に係る撮影画像編集装置では、上記通信制御手段は、上記外部の画像処理端末との無線通信を制御するものであり、さらに、上記外部の画像処理端末が備える非接触型ＩＣ（integrated circuit）であって、該外部の画像処理端末の上記無線通信における通信先を示す情報を含む通信情報が記憶された非接触型ＩＣから、該通信情報を読み取る読み取り部を備え、上記通信制御手段は、上記読み取り部が読み取った上記通信情報に基づいて、上記外部の画像処理端末との無線通信を制御し、上記画像送信手段は、上記画像編集手段が編集している画像を、上記通信制御手段を介して上記外部の画像処理端末に送信することが好ましい。
【００２２】
上記構成によれば、まず、外部の画像処理端末が備える非接触型ＩＣに記憶された通信情報を読み取って、その通信情報に基づき無線通信ネットワーク接続を行うので、無線通信ネットワークの接続設定を手動で行う必要がない。このため、撮影画像編集装置と、外部の画像処理端末との通信を迅速に開始することができる。
【００２３】
この結果、撮影画像編集装置は、外部の画像処理端末と容易に通信でき、ネットワーク設定の手間無く迅速に画像を外部の画像処理端末に送信することができる。画像編集機能の提供に制限時間を設けている場合は、ユーザが画像編集機能を利用することができる時間をネットワーク設定のために浪費することを防ぐことができ特に有効である。
【００２４】
また、本発明に係る撮影画像編集装置では、上記編集機能提供手段は、上記編集機能の提供に対する所定の制限時間が経過したことにより上記編集機能の提供を終了することが好ましい。
【００２５】
本発明に係る撮影画像編集装置が、ゲームセンターなどの娯楽施設に設置された場合、制限時間を設けないと無制限に画像の編集機能を提供し続けることになり、ユーザの回転率が低下する。これに対して、上記構成によれば、編集機能に対する所定の制限時間が経過すると当該編集機能の提供を終了するのでユーザの回転率の低下を防ぐことができるという効果を奏する。
【００２６】
また、本発明に係る撮影画像編集装置では、さらに、上記画像送信手段が送信した画像に編集が加えられた加工画像を受信する加工画像受信手段と、上記加工画像受信手段が受信した加工画像に加えられた加工の内容を、上記画像編集手段が編集している画像に反映する反映手段とを備え、上記表示手段は、上記反映手段によって上記加工の内容が反映された画像を表示し、上記画像編集手段は、上記反映手段によって上記加工の内容が反映された画像を編集することが好ましい。
【００２７】
上記構成によれば、加工画像受信手段が、画像送信手段が送信した画像に編集が加えられた加工画像を受信する。そして、反映手段が、加工画像受信手段が受信した加工画像に加えられた加工の内容を、上記画像編集手段が編集している画像に反映する。
【００２８】
ここで、加工とは画像に対する加工処理のことを指し、画像編集手段の「編集」と同様、画像に対して合成用画像を追加したり、ペンツールなどの描画ツールにより任意の線画像を描き込んだりする処理のことをいう。また、加工の内容を反映するとは、加工画像受信手段が行った加工を上記画像編集手段が編集している画像に取り込み一体化することをいう。
【００２９】
そして、表示手段は、加工の内容が反映された画像を表示し、画像編集手段は、加工の内容が反映された画像を編集する。
【００３０】
これにより、画像の送信先で加工された内容を撮影画像編集装置において取り込むことができる。この結果、撮影画像編集装置の編集用インターフェースを用いて編集をしていないユーザが編集処理を行うことができるという効果を奏する。
【００３１】
また、本発明に係る撮影画像編集装置では、さらに、上記画像編集手段が編集している画像の特定の領域の加工を制限する制限情報を生成する制限情報生成手段を備え、上記画像送信手段は、上記画像編集手段が編集している画像とともに、上記制限情報生成手段が生成した制限情報を送信することが好ましい。
【００３２】
上記構成によれば、編集している画像の特定の領域の加工を制限する制限情報を付加して、編集している画像を送信する。
【００３３】
このため、撮影画像編集装置で編集を行っているユーザが、他のユーザに編集してほしくない領域を設定することができる。この結果、自分が編集している画像に、他のユーザが、自分が意図しない編集を行うことを防ぐことができる。
【００３４】
また、本発明に係る撮影画像編集装置では、さらに、上記画像編集手段が編集している複数の画像を縮小したサムネイル画像を送信するサムネイル画像送信手段を備え、上記画像送信手段は、上記編集リスト送信手段が送信したサムネイル画像から選択された画像の送信要求に応じて、選択された画像を送信することが好ましい。
【００３５】
上記構成によれば、画像編集手段が編集している複数の画像を縮小したサムネイル画像を送信するので、このサムネイル画像を受信すれば撮影画像編集装置において編集している画像を確認することができる。また、サムネイル画像から選択された画像の送信要求に応じて、選択された画像を送信するので、容易に編集画像を受信することができる。
【００３６】
また、本発明に係る撮影画像編集装置では、上記通信制御手段は、上記操作受付手段における操作に基づいて、上記外部の画像処理端末との通信を切断することが好ましい。
【００３７】
上記構成によれば、撮影画像編集装置において、外部の画像処理端末との通信を切断することができる。
【００３８】
この結果、誤操作や、撮影画像編集装置の編集用インターフェースを用いて編集を行っているユーザの意に反してユーザのグループ以外の他人が編集に参加してくることを防ぐことができる。
【００３９】
また、本発明に係る画像処理端末では、通信ネットワークに接続するための通信接続手段と、上記撮影画像編集装置が備える上記画像送信手段から送信される画像を、上記通信接続手段を介して受信するための画像受信手段と、上記画像受信手段が受信した画像を表示するための表示手段と、を備えることが好ましい。
【００４０】
上記構成によれば、画像受信手段が、撮影画像編集装置から、いわゆるリアルタイムで送信される画像を、通信ネットワークを介して受信し、表示手段が、受信した画像を表示する。
【００４１】
これにより、編集用インターフェースを使用していないユーザ、つまり画像処理端末のユーザに対して、編集の過程を表示することができる。
【００４２】
すなわち、撮影画像編集装置が備える編集用インターフェースの数をこえる複数のユーザが編集の過程に参加することが可能となる。
【００４３】
また、本発明に係る画像処理端末では、近距離無線通信ネットワークにおける通信先を示す情報を含む通信情報が記憶された非接触型ＩＣと、上記非接触型ＩＣに記憶された通信情報を請求項２に記載の撮影画像編集装置が備える読み取り部に読み取らせることにより、上記撮影画像編集装置と、近距離無線通信ネットワークを介して接続するための通信接続手段と、上記撮影画像編集装置が備える画像送信手段から送信される画像を、上記通信接続手段を介して受信するための画像受信手段と、上記画像受信手段が受信した画像を表示するための表示手段と、を備えることが好ましい。
【００４４】
上記構成によれば、まず、画像処理端末は、自端末が備えている非接触型ＩＣに記憶されている通信情報を撮影画像編集装置が備える読み取り部に読み取らせる。この通信情報は近距離無線通信ネットワークにおける通信先を示す情報を含むものである。
【００４５】
そして、撮影画像編集装置との近距離無線通信ネットワークにおける通信を確立して、撮影画像編集装置が備える画像送信手段から送信される画像を受信する。そして、受信した画像を画像処理端末において表示することができる。
【００４６】
このため、画像処理端末は、撮影画像編集装置と容易に通信でき、ネットワーク設定の手間無く迅速に画像を撮影画像編集装置から受信することができる。編集機能の提供に制限時間を設けている場合は、ユーザが編集機能の提供を受けることができる時間をネットワーク設定のために浪費することを防ぐことができ特に有効である。
【００４７】
また、本発明に係る画像処理端末では、通信ネットワークに接続するための通信接続手段と、上記撮影画像編集装置が備える上記画像送信手段から送信される画像を、上記通信接続手段を介して受信するための画像受信手段と、上記画像受信手段が受信した画像を表示するための表示手段と、上記画像受信手段が受信した画像を加工する画像加工手段と、上記画像加工手段が加工した画像を、上記撮影画像編集装置が備える加工画像受信手段に送信する加工画像送信手段と、を備えることが好ましい。
【００４８】
上記構成によれば、撮影画像編集装置から受信した画像を加工し、加工した画像を撮影画像編集装置に送信する。これにより、撮影画像編集装置では、加工した画像の内容が、編集中の画像に反映される。この結果、撮影画像編集装置の編集用インターフェースを用いて編集をしていないユーザ、つまり画像処理端末を所持するユーザが編集処理を行うことができるという効果を奏する。
【００４９】
また、本発明に係る画像処理端末では、また、通信ネットワークに接続するための通信接続手段と、上記撮影画像編集装置が備える画像送信手段から送信される画像および制限情報を受信する画像受信手段と、上記画像受信手段が受信した画像を加工する画像加工手段と、上記画像加工手段が加工した画像を、上記撮影画像編集装置が備える加工画像受信手段に送信する加工画像送信手段と、を備え、上記画像加工手段は、上記画像受信手段が受信した制限情報に基づいて、画像の加工を制限することが好ましい。
【００５０】
上記構成によれば、画像処理端末が、撮影画像編集装置から受信した画像を加工し、加工した画像を撮影画像編集装置に送信することができる。ここで、画像処理端末における画像加工は、撮影画像編集装置から受信した制限情報に基づいて制限される。例えば、画像の特定の領域に対する加工が制限される。
【００５１】
これにより、撮影画像編集装置の編集用インターフェースを用いて編集しているユーザの編集内容を無闇に編集し、台無しにしてしまうことを防ぐことができる。
【００５２】
なお、上記撮影画像編集装置および上記画像処理端末は、コンピュータによって実現してもよく、この場合には、コンピュータを上記各手段として動作させることにより上記撮影画像編集装置および上記画像処理端末をコンピュータにて実現させる撮影画像編集装置制御プログラムおよび画像処理端末制御プログラム、ならびにそれを記録したコンピュータ読み取り可能な記録媒体も、本発明の範疇に入る。
【発明の効果】
【００５３】
以上のように、本発明に係る撮影画像編集装置は、上記編集機能提供手段が、外部の画像処理端末との通信を制御する通信制御手段と、撮影画像を編集するための上記ユーザによる操作を受け付ける操作受付手段と、上記操作受付手段が受け付けた操作に応じて、画像を編集する画像編集手段と、上記画像編集手段が編集した画像を表示するための表示手段と、所定の時間間隔、および、上記画像編集手段による編集により画像が更新されたタイミングの少なくとも一方において、上記画像編集手段が編集している画像を、上記外部の画像処理端末に対して、上記通信制御手段を介して送信する画像送信手段と、を備える構成である。
【００５４】
また、本発明に係る撮影画像編集装置の制御方法は、撮影画像を編集するための上記ユーザによる操作を受け付ける操作受付ステップと、上記操作受付ステップにおいて受け付けられた操作に応じて、画像を編集する画像編集ステップと、上記画像編集ステップにおいて編集された画像を表示するための表示ステップと、所定の時間間隔、および、上記画像編集ステップにおいて編集により画像が更新されたタイミングの少なくとも一方において、上記画像編集ステップにおいて編集されている画像を、外部の画像処理端末に対して、送信する画像送信ステップと、を含む方法である。
【００５５】
それゆえ、撮影画像編集装置が備える編集用インターフェースの数をこえる複数のユーザが編集の過程に参加することが可能となる。
【発明を実施するための最良の形態】
【００５６】
[実施形態１]
本発明の一実施形態について図１から図１３に基づいて説明すると以下の通りである。
【００５７】
〔画像編集処理システムの概要〕
まず、本実施形態に係る画像編集処理システム３００の概要について、図２に基づいて説明する。図２は、本実施形態に係る写真撮影プリント装置１の要部構成を示すブロック図である。同図に示すように、画像編集処理システム３００は、写真撮影プリント装置（撮影画像編集装置）１と、複数の携帯端末（画像処理端末）１００とを備える。
【００５８】
写真撮影プリント装置１は、ユーザの写真を撮影する機能（撮影機能）、撮影した写真に対して落書きなどの編集をユーザに行わせる機能（編集機能）、編集された画像をユーザが所持する携帯端末１００に送信する機能（送信機能）、および編集された画像をプリントする機能（プリント機能）を備えているものである。
【００５９】
なお、写真撮影プリント装置１は、撮影した画像をそのまま送信機能で送信したり、プリント機能でプリントしたりすることも可能であるが、以下では、説明の便宜上、送信機能およびプリント機能において、ユーザに編集された画像を取り扱うものとする。また、写真撮影プリント装置１は、これらの機能の全てを備えていなければならないわけではなく、例えばプリント機能が省かれた構成とすることも可能である。
【００６０】
そして、写真撮影プリント装置１は、ユーザから料金を徴収することによって、ゲームを開始して、上記のような機能を順にユーザに提供するようになっている。また、各機能に対して制限時間が設けられており、ユーザはこの制限時間内で各機能を利用することになる。各機能の提供が全て終了すると１ゲームが終了する。
【００６１】
また、送信機能は、写真撮影プリント装置１と、携帯端末１００とが接続している近距離無線通信網２００を用いて提供される。写真撮影プリント装置１と、携帯端末１００とは、ＩＥＥＥ（Institute of Electrical and Electronics Engineers）８０２．１１ａ／ｂ／ｇ／ｎなどに準拠した無線ＬＡＮ（Local Area Network）モジュールやＢｌｕｅｔｏｏｔｈ（登録商標）モジュール、あるいは、赤外線を介しての通信を行うモジュールなどを備える通信部を有しており、互いに近距離無線通信網２００を介して通信を行うことが可能になっている。
【００６２】
しかしながら、これに限られず、写真撮影プリント装置１と、携帯端末１００とは有線接続により互いに通信を行うよう構成することも可能である。また、写真撮影プリント装置１に接続できる携帯端末１００の数には、特に制限はない。また、写真撮影プリント装置１に、１つの携帯端末１００しか接続できないように構成することも可能であり、設定によって接続数を変更することも可能である。
【００６３】
なお、赤外線を介しての通信等は指向性があるため、通信の際に受信側の赤外線受信部と送信側の赤外線送信部の向きをそろえなければならない。このように、通信の際に携帯端末１００と、写真撮影プリント装置１との位置関係を考慮しなければならならず、ユーザにとって不便である。よって、近距離無線通信網２００には、無指向性の通信規格のものを採用することが望ましく例えば、上記Ｂｌｕｅｔｏｏｔｈ（登録商標）方式の通信規格を採用することが望ましい。
【００６４】
携帯端末１００は、近距離無線通信網２００を介して、写真撮影プリント装置１と接続されており、写真撮影プリント装置１における編集に参加するための機能を備えている。携帯端末１００の例としては、携帯電話機、携帯ゲーム機およびＰＤＡ（Personal digital Assistant）等の機器が挙げられる。
【００６５】
このように、画像編集処理システム３００は、写真撮影プリント装置１において編集機能を利用したり、携帯端末１００から写真撮影プリント装置１における編集に参加したりできるように構成されている。
【００６６】
〔写真撮影プリント装置の外観〕
次に、写真撮影プリント装置１の外観構成について、図３を参照しながら説明する。図３は、写真撮影プリント装置１の斜視図である。この写真撮影プリント装置１は、ユーザの写真を撮影する撮影部２と、撮影した写真（撮影画像）に対して落書きなどの編集をユーザに行わせる編集部３と、ユーザが編集を行った写真（編集画像）をプリント紙に出力する印刷部４とを有している。
【００６７】
図３の（ａ）は写真撮影プリント装置１における撮影部２側からの外観を示し、図３の（ｂ）は編集部３および印刷部４側からの外観を示している。また、本実施形態に係る写真撮影プリント装置１は図３の（ａ）および（ｂ）に示すとおり、編集部３を２つ備える構造となっており、第１の編集部３ａと第２の編集部３ｂとが対面に設置されている。
【００６８】
図４は、編集部３ａの正面図である。編集部３ａの構成について説明すると以下のとおりである。編集部３ａは、ユーザが撮影部２による撮影処理を終了した後に、撮影画像に対して落書きなどの編集処理を実行するためのものであり、タッチパネル部３１、タッチペン３２、および、音声出力部３３などで構成される。図示のように、編集部３ａには、１つのタッチパネル部３１に対し、２つのタッチペン３２が設けられている。よって、編集部３ａでは、１つのタッチパネル部３１において、２人のユーザがそれぞれタッチペン３２を用いて同時に編集処理を楽しむことができる。また、編集部３ａの各部は、制御部１０によって制御される。なお、編集部３ａの対面には編集部３ｂが設けられている。また編集部３ｂの構成は、編集部３ａと同様であるので、ここではその説明を省略する。
【００６９】
また、以下、編集部３ａおよび編集部３ｂを区別せずにまとめて取り扱うときは編集部３と称する。編集部３の各部の詳細については後述する。
【００７０】
編集部３ａおよび編集部３ｂは、それぞれ異なる２つのゲームにおいて得られた撮影画像を編集するよう構成されている。例えば、あるゲームにおいて得られた撮影画像は、編集部３ａにおいて編集し、他のゲームにおいて得られた撮影画像は、編集部３ｂにおいて編集することになる。従って、２つのグループが同時に編集処理を行うことができる。しかしながら、これに限られず、編集部３ａおよび編集部３ｂにおいて１つのゲームにおいて得られた撮影画像を編集できるよう構成してもよい。
【００７１】
図５は、印刷部４の正面図である。本実施形態では、編集部３ａおよび編集部３ｂの側面に印刷部４を設けており、したがって、図５は、編集部３の側面を表している。また、前述の通り、編集部３ａの対面には編集部３ｂが設けられている。
【００７２】
印刷部４は、ユーザが編集部３による編集処理を終了した後の編集画像をシール紙にプリントして、プリントしたシール紙を排出するものである。本実施形態では、編集部３側面に、プリント排出口４４ａおよび４４ｂが設けられており、編集部３ａにて編集が行われた編集画像のシール紙は、プリント排出口４４ａから排出され、編集部３ｂにて編集が行われた編集画像のシール紙は、プリント排出口４４ｂから排出される。
【００７３】
上述のような構成の写真撮影プリント装置１において、ユーザは、まず撮影部２が備えられた撮影空間に入って撮影処理を実行し、その後、編集部３（編集部３ａまたは編集部３ｂ）が備えられた編集空間に移動して編集処理を実行し、印刷部４により撮影画像または編集画像のプリントされたシール紙を印刷空間にて受け取る、という流れでゲームの一連の処理を楽しむ。
【００７４】
以上のように、写真撮影プリント装置１は、撮影部２と編集部３とが別の空間に設けられている。よって、一組のユーザが編集部３において編集処理を行っている時でも、他のユーザが撮影処理を開始することが可能となっている。これにより、回転率を向上させることが可能である。
【００７５】
また、編集部３における編集処理には、基本的には制限時間が設けられている。これに対して、別の利用者が撮影処理に入るまで編集処理時間を無制限にし、他のユーザが撮影処理を開始した時点から、編集処理に制限時間を設けるようにしてもよい。
【００７６】
このように、編集部３を撮影部２よりも多く設けることで、ボトルネックとなっている編集処理に係る処理時間を分散し、回転率を向上させることが可能である。しかし、本発明の写真撮影プリント装置１は、上述の構成に限定されない。編集部３の設置位置は特に限定しないし、また、設置数も、編集部３を１つ設ける構成としてもよいし、設置場所が確保できれば、３つ以上の編集部３を設けるようにしてもよい。
【００７７】
〔写真撮影プリント装置の詳細〕
次に、再び図２を参照して、写真撮影プリント装置１のハードウェア構成について以下に説明する。図示のように、写真撮影プリント装置１は、撮影部２、編集部３、印刷部４、タイマー部５、通信部６、制御部１０、および、記憶部５０を備える構成である。
【００７８】
制御部１０は、写真撮影プリント装置１が備える上述の各部の動作を統括的に制御するものである。図２に示すとおり、制御部１０は、さらに内部に課金制御部１１、撮影制御部（撮影機能提供手段）１２、編集制御部（編集機能提供手段）１３、印刷制御部１４および通信制御部（編集機能提供手段）１５を備える。
【００７９】
課金制御部１１は、ユーザに対する課金処理の制御を行うものである。例えば、硬貨処理部２１において、適正に料金を徴収できているかを検知する。課金制御部１１の詳細については後述する。
【００８０】
撮影制御部１２、編集制御部１３および印刷制御部１４は、それぞれ撮影部２、編集部３および印刷部４を統括的に制御するものである。これらの各制御部の具体的な動作については、後述の撮影部２、編集部３および印刷部４において説明するので、ここではその説明を省略する。
【００８１】
通信制御部１５は、通信部６のネットワーク接続機能を制御するものである。例えば、近距離無線通信網２００を介して、写真撮影プリント装置１から、携帯端末１００に編集画像を送信するときの送信制御を行う。
【００８２】
なお、制御部１０は、例えばＰＣ（personal computer）ベースのコンピュータによって構成される。そして、各種構成の動作制御は、制御プログラムをコンピュータに実行させることによって行われる。
【００８３】
このプログラムは、例えばＣＤ（compact disc）−ＲＯＭ（read only memory）やＤＶＤ（Digital Versatile Disc）−ＲＯＭなどのリムーバブルメディアに記録されているものを読み出して使用する形態であってもよいし、ハードディスクなどにインストールされたものを読み出して使用する形態であってもよい。また、この制御部１０がインターネットなどの通信ネットワークに接続された構成とする場合、この通信ネットワークを介して上記プログラムをダウンロードしてハードディスクなどにインストールして実行する形態なども考えられる。
【００８４】
写真撮影プリント装置１は、上記したハードディスクなどの不揮発性の記憶装置によって構成される記憶部５０を備える。この記憶部５０に記憶される内容としては、上記制御プログラム、ＯＳ（Operating System）プログラム、その他の各種プログラム、カメラ部２３における動作設定値、撮影画像、編集画像の画像データ、および、写真撮影プリント装置１の近距離無線通信網２００における装置識別情報などが挙げられる。
【００８５】
なお、この装置識別情報は、具体的には、近距離無線通信網２００における写真撮影プリント装置１のアドレス情報をはじめとする近距離無線通信網２００における通信に必要な設定情報が含まれている。
【００８６】
撮影部２は、撮影制御部１２の制御に応じて撮影処理を実行するものであり、硬貨処理部２１、照明部２２、カメラ部２３、撮影画像表示部２４、カメラ画像表示部２５、操作部２６、および、カーテン部２７により構成されている。なお、ここには図示しないが、撮影部２には、ユーザに或る動作を促すよう音声案内を行うための音声出力部が含まれていてもよい。
【００８７】
硬貨処理部２１は、ユーザから料金の徴収を行う際の硬貨投入／返却処理を行うものである。所定の硬貨が投入されたと判定すると、課金制御部１１に通知する。そして、課金制御部１１は、硬貨処理部２１からの通知を受け取ると、課金処理を行う。すなわち、課金制御部１１は、硬貨処理部２１からの通知をカウントし、ユーザが投入した金額に応じて、ユーザに対する各種動作を制御する。なお、これに限られず、硬貨処理部２１を、いわゆる電子マネーに対応した課金処理部に変更して、電子マネーよる課金を行うことも可能である。
【００８８】
照明部２２は、撮影時にストロボランプなどの写真閃光灯として機能するとともに、通常時の照明として機能するものである。本実施形態では、光源としてフラッシュランプを使用しているが、蛍光灯などのような連続光を発する光源を使用することもできる。また、フラッシュランプの近傍に蛍光灯などを補助光源として設けることもできる。連続光の光源や補助光源を使用することにより、撮影前のライブビュー画像から撮影時の写りを推測することができる。
【００８９】
カメラ部２３は、主にユーザを被写体として写真撮影を行うものであり、例えばレンズ群、絞り、ＣＣＤ（charge coupled device）撮像素子などを備えたデジタルカメラによって構成される。カメラ部２３は、全身撮影とクローズアップ撮影との両方に対応できるように、例えば使用するレンズ群および絞りを切り替えられるような構成となっている。
【００９０】
撮影画像表示部２４は、ユーザに対して撮影時におけるユーザインターフェイスを提供するものであり、各種画像や各種操作ボタン等を表示する。撮影画像表示部２４は、例えば、液晶表示素子等のフラットパネルディスプレイやＣＲＴなどの表面にタッチパネルが設けられて構成されている。カメラ部２３が撮影した撮影画像を撮影画像表示部２４に表示することにより、ユーザは、撮影画像を確認することができる。
【００９１】
操作部２６は、写真撮影プリント装置１に対するゲームの操作をユーザが行うための指示信号を入力する入力デバイスである。本実施形態では、操作部２６を撮影画像表示部２４と一体としたタッチパネルとして実現する。すなわち、撮影画像表示部２４に、操作ボタンなどのＧＵＩ画面を表示する。撮影画像表示部２４の表示画面がユーザの指（または、タッチペンなどのポインティングデバイス）により押下されることにより、その位置に対応するボタンや画像を示す指示信号が、写真撮影プリント装置１内部に入力される。
【００９２】
なお、本実施形態では、操作部２６を撮影画像表示部２４と一体に設けたタッチパネルとして構成することとしたが、これに限定されず、操作部２６を、例えば、テンキーや十字キーなどが設けられたリモコンや、キーボードなどの入力デバイスとして構成してもよい。
【００９３】
カメラ画像表示部２５は、カメラ部２３がとらえるリアルタイムの映像、すなわち、撮影前のライブビュー画像を表示するものである。カメラ画像表示部２５にライブビュー画像を表示することにより、ユーザは前もって写りを確認して撮影に臨むことができる。
【００９４】
カーテン部２７は、撮影画像の背景となるカーテンを提供するものである。カーテンは、さまざまな色や模様を施されたものが用意され、撮影時に、ユーザが自由に選択できたり、写真撮影プリント装置１が自動で選択したりする。これら複数のカーテンは、撮影空間の背面（撮影部２の対面）に重ねて配置されており（図３の（ａ）および（ｂ））、撮影時には、選択されたカーテンが、被写体の背後に写るよう、最前面に設置される。選択されたカーテンの設置は、撮影制御部１２がカーテン部を制御することにより実行してもよいし、ユーザ自身が手動で行う構成としてもよい。
【００９５】
また、本実施形態では、カーテン部２７が複数のカーテンを提供する構成としたが、これに限定されない。カーテン部２７で設置可能なカーテンを１種類としてもよい。この場合は、合成用の背景画像を複数種類用意して、編集工程においてユーザが所望する背景画像を合成するようにすれば、カーテンの種類が１つしかなくても、ユーザの多様な好みに対応することができる。
【００９６】
編集部３は、編集制御部１３の制御に応じて編集処理を実行するものであり、タッチパネル部３１、タッチペン３２および非接触型ＩＣ（integrated circuit）リーダ／ライタ部３６により構成されている。編集部３には、さらに、音声出力部３３および赤外線通信部（図示せず）が含まれていてもよい。
【００９７】
タッチパネル部３１は、ユーザにユーザインターフェイスを提供するものであり、編集画像表示部３４および操作受付部３５により構成される。編集画像表示部３４は、編集処理における編集の対象となる編集画像（編集対象画像）等を表示するものである。操作受付部３５は、タッチペンなどのポインティングデバイスを用いることにより入力されたユーザの指示信号を受け付けて、写真撮影プリント装置１内部に伝達するものである。
【００９８】
タッチペン３２は、画像編集処理などにおいて、タッチパネル部３１上で細かな操作入力をユーザが行うためのものであり、タッチパネル部３１の近くに配備される。ユーザは、このタッチペン３２をタッチパネル部３１に接触または接近させることによって、処理の進行に応じて表示されるボタンを選択したり、落書きなどの画像描画を行ったりすることができる。
【００９９】
例えば、タッチパネル部３１の画面がタッチペン３２で押下されることにより、その位置に対応するボタンや画像を示す指示信号が、写真撮影プリント装置１の内部に入力される。これにより、ユーザは、撮影画像に落書きを施したり、スタンプを押したり、また、印刷の対象となる印刷対象画像を選択したりすることができる。編集部３における編集処理については、後ほど、詳細に説明する。
【０１００】
また、本実施形態では、１ゲームにつき２人のユーザが同時に画像を編集できるようにするために、編集部３ａおよび３ｂのそれぞれにおいて、タッチペン３２を２本配備している。つまり、１ユーザにつき、１つの画像を編集することができる。
【０１０１】
なお、編集部３において、タッチペン３２を、構成の簡略化のために、１本のみ配備することもできるし、３人以上のユーザのために、３本以上を配備することもできる。また、編集部３において、２本のタッチペン３２で、１つの画像のみ編集できるように構成することも可能である。また、２本のタッチペン３２に対して、タッチパネル部３１を、１つ設けているが、これに限られることなく、２つのタッチパネル部３１を設けて、一方のタッチペン３２で、一方のタッチパネル部３１の操作をし、他方のタッチペン３２で、他方のタッチパネル部３１の操作をするように構成することも可能である。
【０１０２】
音声出力部３３は、各種操作上のガイダンス音声や効果音などを出力するものであり、写真撮影プリント装置１の適所に配備される。この音声出力部３３としては、例えばスピーカが用いられる。
【０１０３】
非接触型ＩＣリーダ／ライタ部３６は、メモリ機能を有するＩＣチップなどと通信し、そのＩＣチップのメモリを読み出したり、書き込んだりするものである。本実施形態では携帯端末１００がＩＣチップを備えていることを想定している。このＩＣチップには、編集画像の送信先である携帯端末１００を特定するための端末識別情報や、携帯端末１００の機種特性に関する特性情報が書き込まれている。この端末識別情報には、具体的には近距離無線通信網２００における携帯端末１００のアドレス情報をはじめとする近距離無線通信網２００における通信に必要な設定情報が含まれている。そして、特性情報には、携帯端末１００の画面サイズ、画質等の画面特性に関する情報が含まれている。
【０１０４】
よって、非接触型ＩＣリーダ／ライタ部３６は、携帯端末１００に備えられているＩＣチップから携帯端末１００の端末識別情報を読み出す役割を担っている。
【０１０５】
非接触型ＩＣリーダ／ライタ部３６は、携帯端末１００に備えられているＩＣチップから読み出した端末識別情報を通信制御部１５に出力する。
【０１０６】
また、非接触型ＩＣリーダ／ライタ部３６は、通信先特定部１５１が記憶部５０から読み出した装置識別情報を携帯端末１００の非接触型ＩＣ部１０２に送信する役割も担っている。
【０１０７】
なお、非接触型ＩＣリーダ／ライタ部３６は、タッチパネル部３１の近傍に設けることもできるし、タッチパネル部３１の背面に設けることもできる。なお、非接触型ＩＣリーダ／ライタ部３６を、接触型ＩＣリーダ／ライタ部に変更することも可能である。
【０１０８】
また、携帯端末１００が接触型ＩＣリーダ／ライタ部を備えている場合、装置識別情報を記憶した接触型ＩＣを写真撮影プリント装置１に設け、当該装置識別情報を携帯端末が接触型ＩＣリーダ／ライタに読み取らせるように構成してもよい。
【０１０９】
印刷部４は、印刷制御部１４の制御に応じて印刷対象として選択された撮影画像および／または編集画像を印刷することにより印刷処理を実行するものである。印刷部４は、プリンタ部４２を有する構成であり、この印刷部４に対して、写真プリントの出力媒体となるシール紙１４２が、つづら折に連結されシール紙ユニット４３として納入されるようになっている。
【０１１０】
プリンタ部４２は、出力すべき画像データが印刷制御部１４から送られてくると、その画像データに基づいてシール紙１４２に印刷するものである。このプリンタ部４２としては、例えば昇華型プリンタが用いられる。なお、昇華型プリンタを用いる場合には、シール紙１４２に加えて、昇華型用インクフィルムがセットとなって納入されることになる。
【０１１１】
なお、印刷部４において、ＩＤタグリーダ／ライタ部（図示せず）を設け、またシール紙ユニット４３にＩＤタグを設けて、ＩＤタグリーダ／ライタ部が、ＩＤタグに各種ＩＤタグ情報を書き込みおよび／または読み出すように構成してもよい。この場合、ＩＤタグは、メモリ機能を有するＩＣチップなどによって構成することができ、ＩＤタグに記憶される上記ＩＤタグ情報としては、固有ＩＤ、用紙枚数、用紙種類、および、インク固有の色情報（インクフィルムがセットとなっている場合）などが挙げられる。
【０１１２】
なお、本実施形態では、シール紙１４２として、粘着シートおよび該粘着シートの粘着面に貼り付けられている剥離シートからなるシールシートを想定しているが、これに限定されない。シール紙１４２の代わりに、通常の紙状媒体である紙状シートを用いるように本発明の写真撮影プリント装置１を構成することもできる。
【０１１３】
タイマー部５は、ある時点からの経過時間を計測するためのものである。タイマー部５が計測する経過時間を用いて、例えば、写真撮影プリント装置１の各処理における時間制限の制御を行ったりすることができる。タイマー部５が、時間を計測する手法としては、公知の技術を採用することができる。
【０１１４】
通信部６は、携帯端末１００などの外部装置とデータ通信を行うためのものである。具体的には、通信部６は、通信制御部１５から受信した各種データを、近距離無線通信網２００に適した信号形式に変換し、変換した信号を近距離無線通信網２００に送信する。また、通信部６は、近距離無線通信網２００から受信した信号を装置内部のデータ形式に変換した後、通信制御部１５に送信する。
【０１１５】
なお、以上の構成に加えて、ユーザが所持する携帯端末１００が古い機種だった場合でも、編集画像のダウンロードができるように赤外線通信部を設けることも可能である。
【０１１６】
〔写真シール作成ゲームの処理の流れ〕
次に、図６を用いて、写真シール作成ゲームの処理の流れについて説明する。図６は、写真撮影プリント装置における写真シール作成ゲームの処理の流れについて示したフローチャートである。
【０１１７】
まず、ゲーム開始の受付処理を開始し、課金制御部１１が、硬貨処理部２１に、硬貨が投入されたか否かを判定する（Ｓ１０１）。このとき、例えば、課金制御部１１は、編集制御部１１を介して、撮影部２に設けられたモニタ、例えば、撮影画像表示部２４に「コインを投入してね」というような、ユーザに硬貨投入を促すメッセージを表示するよう制御してもよい。
【０１１８】
硬貨が投入されていないのであれば（Ｓ１０１においてＮＯ）、撮影画像表示部２４に待機状態を示すデモンストレーション画面が表示してもよい。当該デモンストレーション画面には、写真撮影プリント装置１のマシーン名称、略称、概略等の情報が含まれる。
【０１１９】
撮影空間に進入したユーザによりコイン投入がなされ（Ｓ１０１においてＹＥＳ）、硬貨処理部２１において硬貨が回収され、課金制御部１１において課金処理が終了すると、デモンストレーション画面を撮影処理用画面に切り替えて受付処理を完了する。
【０１２０】
続いて、撮影制御部１２は、操作部２６を介して撮影操作を受け付けると、カメラ部により撮影処理を行う（Ｓ１０２）。撮影処理では、カメラ部２３によって撮影空間で複数回の写真撮影が行われる。また、撮影に先立って、ユーザに撮影コースを選択させてもよい。この場合、ユーザに撮影コースを選択させるための画面を撮影画像表示部２４に表示し、ユーザからの撮影コース選択の入力を受け付けるようにすればよい。ここで、コースとは、例えば、ノーマル撮影コース（ユーザが所望のカーテン（背景色）を選んで撮影）、おまかせ撮影コース（カーテンを自動で選択し撮影）、ポーズ撮影コース（ユーザがモデルサンプル画像（完成予想図）を選んでそれに基づいて撮影）などが挙げられ、ユーザが好きなコースを選択できるものとする。
【０１２１】
また、撮影処理時には、カメラ画像表示部２５において、ライブビューを表示し、ユーザが、ライブビュー表示パネルに表示されている自身の姿を視認しながら、写真撮影できるようにしてもよい。
【０１２２】
なお、本実施形態では、説明の便宜上、撮影画像全てを後の編集処理における編集処理対象とすることを想定しているがこれに限られない。撮影処理の後、撮影画像の中から編集処理対象とする画像、いわゆるキープ画像をユーザに選択させ、ここで選択された撮影画像を記憶部５０に記憶するようにしてもよい。この場合、キープ画像をユーザに選択させる時間の分、編集処理の制限時間がより短くなるが、必要な画像だけ編集処理対象とすることができる。
【０１２３】
また、撮影制御部１２は、撮影処理の制限時間を、タイマー部５が計測する時間に基づいて制御する。
【０１２４】
撮影が終了したら、編集制御部１３が編集処理を開始する（Ｓ１０３）。具体的には、編集制御部１３は、撮影画像表示部２４が、ユーザに対し編集部３に移動する旨案内するよう制御する。この移動案内では、音声による案内を行ってもよい。
【０１２５】
そして、編集部３では、先ほど撮影した撮影画像を編集画像表示部３４に表示し、ユーザの操作を受け付け、落書きなどの編集処理を行う（Ｓ１０４）。この編集処理の詳細については、後ほど詳細に説明する。
【０１２６】
編集処理が終わると、印刷制御部１４が印刷部４を制御してシール印刷処理を行う（Ｓ１０５）。また、シール印刷処理に並行して、編集後処理の事後接客処理を編集部３において行う（Ｓ１０６）この事後接客処理には、例えば、従来の携帯端末に編集画像等を送信したり、ユーザにアンケート入力を促したり、ミニゲームを行ったりする処理が含まれる。
【０１２７】
やがてシール印刷処理が完了し、プリント排出口に移動するようユーザを案内する（Ｓ１０７）。具体的には、編集部３の編集画像表示部３４にプリント排出口に移動するように案内表示したり、編集部３の音声出力部３３がユーザに対して、プリント排出口に移動するよう音声で案内したりする。続いて、プリント排出口からプリントしたシール紙を排出する（Ｓ１０８）。その後、ゲームは終了する。
【０１２８】
〔編集処理の詳細〕
写真撮影プリント装置１は、自装置で編集している編集画像をいわゆるリアルタイムで携帯端末１００に転送する。また、携帯端末１００が編集画像を編集する機能を備えている場合、携帯端末１００が編集した編集画像を返信するので、写真撮影プリント装置１は、返信されてくる返信画像を受け付ける。そして、写真撮影プリント装置１は、返信された返信画像を、自装置で編集している編集画像とマージする。すなわち、写真撮影プリント装置１は、自装置で編集している編集画像の内容に、返信された返信画像の編集内容を反映する。
【０１２９】
以下において、このような写真撮影プリント装置１における編集処理について詳細に説明する。
【０１３０】
〔写真撮影プリント装置の制御部の詳細〕
まず、図１を用いて、写真撮影プリント装置１における編集処理を実現するための制御部１０および記憶部５０の構成について以下に説明する。図１は、制御部１０の要部構成についてさらに詳細に示したブロック図である。
【０１３１】
既に説明したとおり、図１に示すように、制御部１０は、内部に課金制御部１１、撮影制御部１２、編集制御部１３、印刷制御部１４および通信制御部１５を備える構成であるが、以下では、編集制御部１３および通信制御部１５について詳細に説明する。
【０１３２】
また、図１に示すように記憶部５０は、撮影した撮影画像を記憶するための撮影画像記憶部５１と、画像編集処理部１３１が編集した編集画像を記憶するための編集画像記憶部５２を有する構成である。
【０１３３】
編集制御部１３は、さらに画像編集処理部１３１、編集検知部１３２および返信画像併合部１３３を有する構成である。
【０１３４】
画像編集処理部１３１は、操作受付部３５から伝達される指示信号を受け付けて、記憶部５０から撮影画像を読み出して、読み出した撮影画像に各種の編集処理を施し編集画像を生成するものである。なお、画像編集処理部１３１は、編集処理を実行するたびに編集画像記憶部５２の編集画像を更新して最新のものに保つ。
【０１３５】
編集検知部１３２は、画像編集処理部１３１における編集処理を監視し、編集画像が編集処理において更新されたことを検知するものである。編集検知部１３２は、編集画像の更新を検知すると、その旨を通信制御部１５が有する画像送信処理部１５２に通知する。
【０１３６】
返信画像併合部１３３は、通信制御部１５が有する返信画像受信部１５４から、返信画像を受信し、受信した返信画像を、該返信画像に対応する編集画像とマージするものである。返信画像併合部１３３のマージ処理は、具体的には、写真撮影プリント装置１および携帯端末１００のそれぞれにおいて編集された内容を時系列順に編集画像に反映していく処理である。例えば、マージ処理では、編集画像および返信画像の更新日時を用いて上記反映処理を行う。
【０１３７】
通信制御部１５は、さらに通信先特定部１５１、画像送信処理部１５２、画像変換部１５３および返信画像受信部１５４を有する構成である。
【０１３８】
通信先特定部１５１は、非接触型ＩＣリーダ／ライタ部３６が読み出した携帯端末１００の端末識別情報を取得し、取得した端末識別情報から通信先である携帯端末１００を特定するものである。また、その一方で、通信先特定部１５１は、携帯端末１００を特定すると、装置識別情報を記憶部５０から読み出して携帯端末１００の非接触型ＩＣ部１０２
に送信する。
【０１３９】
通信先特定部１５１が特定した通信先情報は、編集画像を送信すべき送信先を特定するために用いられる。また、携帯端末１００が編集画像を編集する機能を備えている場合は、携帯端末１００から返信画像を受信する際に、返信画像の送信元である携帯端末１００を特定するためにも用いられる。
【０１４０】
通信先特定部１５１は、通信先情報を、画像送信処理部１５２と、返信画像受信部１５４とに送信する。なお、通信先特定部１５１は、取得した端末識別情報を検証し、編集画像の送信が許可された送信先であるか否かを認証してもよい。
【０１４１】
画像送信処理部１５２は、所定のタイミングで、編集画像記憶部５２から編集画像を読み出し、読み出した編集画像を、通信先特定部１５１が特定した通信先に送信するものである。上記所定のタイミングとは、編集検知部１３２から、編集画像が更新された旨の通知を受け取った場合か、前に編集画像を通信先に送ってから一定の時間が経過したことを検知した場合である。あるいは、所定の時間間隔で送信を行ってもよい。この時間計測には、タイマー部５が計測する経過時間が用いられる。また、画像送信処理部１５２は、前に編集画像が更新されたときから一定の時間が経過したこと検知した場合に編集画像を送信するよう構成されていてもよく、この場合、編集検知部１３２を設けない構成とすることも可能である。
【０１４２】
なお、本実施形態では、画像送信処理部１５２は、編集画像をそのまま送信先の携帯端末１００に送信するのではなく、編集画像を携帯端末１００において処理するのに適したデータ形式に変換するため画像変換部１５３を経由で送信を行う。
【０１４３】
画像変換部１５３は、画像送信処理部１５２から編集画像を受信し、受信した編集画像を携帯端末１００において処理するのに適したデータ形式に変換する一方で、携帯端末１００から受信した返信画像を返信画像併合部１３３が処理するのに適したデータ形式に変換するものである。
【０１４４】
具体的には、画像変換部１５３は、非接触型ＩＣリーダ／ライタ部３６が読み出した携帯端末１００の特性情報を取得して、取得した特性情報により携帯端末１００の画面サイズ、画質等の画面特性を特定する。そして、画像送信処理部１５２から受信した編集画像を、特定した画面特性に適合するように変換する。この変換処理では、編集画像を携帯端末１００の画像サイズに合わせてリサイズしたり、画質にあわせて色数を調整したりする処理が行なわれる。画像送信処理部１５２は、このように変換した編集画像を、携帯端末１００に転送する。
【０１４５】
また、携帯端末１００から受信した返信画像を、自装置の画面特性に適合するように変換する。自装置の画面特性については、例えば記憶部５０に記憶されている設定情報から取得すればよい。このようにして、画像変換部１５３は、変換された返信画像を、返信画像受信部１５４経由で返信画像併合部１３３に転送する。
【０１４６】
また、画像変換部１５３は、編集画像や返信画像に、編集の内容を示す情報が含まれている場合、この情報も適宜変換するように構成されている。
【０１４７】
返信画像受信部１５４は、通信先特定部１５１が特定した通信先、すなわち編集画像の編集機能を備える携帯端末１００から返信されてくる返信画像を、画像変換部１５３を介して受信するものである。返信画像受信部１５４は、受信した返信画像を返信画像併合部１３３に送信する。
【０１４８】
〔携帯端末の詳細〕
次に、図７を用いて、携帯端末１００の要部構成について説明する。図７は、携帯端末１００の要部構成を示したブロック図である。同図に示とおり、携帯端末１００は、制御部１０１、非接触型ＩＣ部１０２、通信部１０３、表示部１０４、操作部１０５、記憶部１５０を備える。
【０１４９】
制御部１０１は、上述の各部の動作を統括的に制御するものであり、機能ブロックとして画像受信部１１１と、受信画像編集処理部１１２と、画像返信部１１３と、画像選択部１１４とを備えている。なお、上記機能ブロックとして示される各部は、ＣＰＵ（central processing unit）が不図示のＲＯＭ（read only memory）等の記憶装置に記憶されているプログラムをＲＡＭ（random access memory）等に読み出して実行することで実現できる。すなわち、上記各部材、画像受信部１１１、受信画像編集処理部１１２、画像返信部１１３および画像選択部１１４は、上記ＣＰＵが上記記憶装置に格納されたプログラムを実行し、図示しない入出力回路などの周辺回路を制御することによって実現される機能ブロックである。なお、上記各部材の詳細については後述する。
【０１５０】
非接触型ＩＣ部１０２は、メモリ機能を有するＩＣチップにより構成される。このＩＣチップには、近距離無線通信網２００における携帯端末１００の端末識別情報や、携帯端末１００の機種特性に関する特性情報が書き込まれている。これらの情報は、写真撮影プリント装置１が備える非接触型ＩＣリーダ／ライタ部３６によって読み取ることができる。また、非接触型ＩＣ部１０２は、写真撮影プリント装置１から送信される装置識別情報を受信し制御部１０１に転送する。
【０１５１】
なお、写真撮影プリント装置１が装置識別情報を記憶した接触型ＩＣを備えている場合、携帯端末１００に非接触型ＩＣリーダ／ライタ部を設け、当該装置識別情報を非接触型ＩＣリーダ／ライタ部によって読み取るように構成してもよい。
【０１５２】
通信部１０３は、近距離無線通信網２００を介して写真撮影プリント装置１と通信を行うためのものである。通信部１０３は、写真撮影プリント装置１から、編集画像を受信したり、自端末において編集した画像を返信画像として写真撮影プリント装置１に返信したりするために用いられる。
【０１５３】
表示部１０４は、制御部１０１から画面データを受信し、受信した画面データを表示するためのものである。
【０１５４】
操作部１０５は、携帯端末１００のユーザから入力を受け付けるためのものである。操作部１０５は、具体的には、キーボードや、ボタン等の入力デバイスにより構成してもよいし、タッチパネルにより構成することもできる。
【０１５５】
記憶部１５０は、各種データおよびプログラムを記憶するものである。この記憶部１５０に記憶される内容としては、制御部１０１の各部を実現するための制御プログラム、携帯端末１００の各機能を稼動させるためのＯＳ（Operating System）プログラム、その他の各種プログラム、写真撮影プリント装置１から受信した編集対象画像の画像データなどが挙げられる。
【０１５６】
〔携帯端末の制御部の詳細〕
図７を参照しさらに携帯端末１００が備える制御部１０１の各部について説明する。前述の通り、制御部１０１は、画像受信部１１１と、受信画像編集処理部１１２と、画像返信部１１３と、画像選択部１１４とを備え、これらの各部は、写真撮影プリント装置１に接続して編集処理を行うための編集処理用アプリケーションを構成する。また、写真撮影プリント装置１との各種通信を行う際には、制御部１０１は、非接触型ＩＣ部１０２から送信される装置識別情報を用いる。
【０１５７】
画像受信部１１１は、写真撮影プリント装置１から送信される編集対象画像を、通信部１０３を介して受信するためのものである。画像受信部１１１は、受信した編集対象画像を表示部１０４に表示するとともに、受信画像編集処理部１１２に送信する。
【０１５８】
受信画像編集処理部１１２は、画像受信部１１１から受信した編集対象画像を編集するためのものである。受信画像編集処理部１１２は、操作部１０５がユーザの編集操作を受け付けると、これに応じて編集対象画像に対し各種の編集処理を行う。
【０１５９】
画像返信部１１３は、受信画像編集処理部１１２が、編集対象画像に対して編集を行ったことを検知して、受信画像編集処理部１１２から編集された編集対象画像を受信し、受信した編集対象画像を返信画像として、通信部１０３を介して写真撮影プリント装置１に返信するものである。
【０１６０】
画像選択部１１４は、写真撮影プリント装置１が、自装置において編集中の編集対象画像を編集リストとして送信してくる場合に、写真撮影プリント装置１に送信してもらうべき編集対象画像を当該編集リストから選択するためのものである。
【０１６１】
〔写真撮影プリント装置と、携帯端末との通信の確立方法について〕
ここで、写真撮影プリント装置と、携帯端末との間の通信の確立方法について説明する。写真撮影プリント装置と、携帯端末とは、編集画像および返信画像の送受信において通信を行うが、この通信は、ハンドオーバー（Handover）技術を用いて確立される。
【０１６２】
ここで、ハンドオーバー技術とは、非接触型ＩＣに記憶されている２次通信キャリアの通信接続情報を、２次通信キャリアによって通信を行う２つの通信端末間で互いに読み出して、読み出した通信接続情報に基づいて２次通信キャリアによるＰ２Ｐ接続を確立し、データ通信を行う技術である。２次通信キャリアとしては、主に無線通信方式が用いられる。すなわち、このハンドオーバー技術は、あらかじめ比較的近い距離で通信端末が互いの通信接続情報をやり取りしておけば、その後は通信端末間の距離がある程度離れても通信を行えるという点に特徴がある。
【０１６３】
例えば、非接触型ＩＣとしては、Ｆｅｌｉｃａ（登録商標）を採用することができ、２次通信キャリアとしては、無線ＬＡＮ、Ｂｌｕｅｔｏｏｔｈ（登録商標）、ＷＵＳＢなどの方式を採用することができる。
【０１６４】
本実施形態では、このハンドオーバー技術を用いて、編集部３が備える非接触型ＩＣリーダ／ライタ部３６において、携帯端末１００と、写真撮影プリント装置１との間で各識別情報を交換し、当該各識別情報に基づいて近距離無線通信を確立し、その後、２者間で近距離無線通信網２００を介した通信を行うことになる。本実施形態では、このような通信形態を採用しているが、これに限られず種々の通信形態を採用することが可能である。
【０１６５】
〔編集画面について〕
次に、図８を用いて、編集部３における編集処理のインターフェースの一例について説明する。図８は、編集処理において編集画像表示部３４に表示される画面の一例を示す図である。同図に示すように、編集画面６０には、編集対象画像表示領域Ａ１、編集ツール選択領域Ａ２、編集ツール設定領域Ａ３、消しゴムツール選択領域Ａ４、編集対象画像選択領域Ａ５、すすむ・もどる・おわりボタンＡ６、やりなおしボタンＡ７、および、残り時間表示領域Ａ８が表示されている。
【０１６６】
なお、この編集画面６０では、２人のユーザが同時に編集処理を行うことが可能となるように、編集対象画像表示領域Ａ１、編集ツール設定領域Ａ３、消しゴムツール選択領域Ａ４、すすむ・もどる・おわりボタンＡ６、および、最初からボタンＡ７が編集画面６０の左右に分かれて２カ所に設けられている。
【０１６７】
編集対象画像表示領域Ａ１は、編集対象画像選択領域Ａ５において編集対象画像として選択された撮影画像が表示されるとともに、この領域において画像の描画、貼り付けなどの編集処理が行われる。そして、編集画面６０の中央より右側の編集対象画像表示領域Ａ１Ｒには、編集画像６１が編集対象画像として表示されており、編集画面６０の中央より左側の編集対象画像表示領域Ａ１Ｌには、編集画像６２が編集対象画像として表示されている。つまり、２人のユーザがいた場合、一方のユーザは、編集画像６１を編集し、他方のユーザは、編集画像６２を編集することになる。
【０１６８】
編集対象画像選択領域Ａ５は、編集対象画像表示領域Ａ１において編集対象とする編集対象画像を選択するための領域である。編集対象画像選択領域Ａ５では、写真撮影プリント装置１において編集可能な編集画像を選択するためのサムネイル画像Ｐ１〜６が表示されている。このように、編集対象画像選択領域Ａ５では、写真撮影プリント装置１において編集可能な編集画像からサムネイル画像が生成され、編集対象画像選択領域Ａ５に表示される。
【０１６９】
また、編集対象画像選択領域Ａ５では、サムネイル画像Ｐ１〜Ｐ６に対応する編集画像が縦長の画像であるか、それとも横長の画像であるかを確認できるようにアイコン表示される。ここで、サムネイル画像Ｐ１、Ｐ３、Ｐ５、Ｐ６に対応する編集画像は、縦長の画像であり、サムネイル画像Ｐ２、Ｐ４に対応する編集画像は横長の画像である。
【０１７０】
このように、編集対象画像選択領域Ａ５では、編集対象画像表示領域Ａ１Ｒで編集対象画像として選択されている画像が、サムネイル画像Ｐ４に対応する編集画像６１であり、編集対象画像表示領域Ａ１Ｌで編集対象画像として選択されている画像が、サムネイル画像Ｐ１に対応する編集画像６２であることが表示されている。
【０１７１】
そして、編集対象画像選択領域Ａ５では、サムネイル画像Ｐ１に対応する編集画像６２およびサムネイル画像Ｐ４に対応する編集画像６２が編集対象画像として選択されている旨を示す「落書き中」マークが表示されている。
【０１７２】
編集ツール選択領域Ａ２は、編集処理で用いられる各種編集ツールの選択を受け付ける領域である。編集ツールとしては、ユーザのタッチペン等の操作に基づき任意の線画像を編集対象画像に書き込み合成が行える「ペン」ツールおよび「てがき」ツールなどの描画ツール、ユーザのタッチペン等の操作に基づき指定された編集対象画像の位置に所定の画像を貼り付ける「スタンプ」ツールおよび「コロコロ」ツール、編集対象画像全体もしくは一部に装飾的な合成用画像を貼り付ける「デコり」ツール、および、特殊な効果を有する「スペシャル」ツールなどが挙げられる。ここで選択されたツールの詳細な設定が編集ツール設定領域Ａ３において行われる。
【０１７３】
また、編集対象画像表示領域Ａ１Ｌで編集されている編集画像６２には、「ペンツール」による編集処理によって、ハート型の落書きＴ１が施されている。
【０１７４】
消しゴムツール選択領域Ａ４は、編集処理によって撮影画像に対して付加された合成用画像を消去する消しゴムツールの消去領域の大きさが選択される領域である。
【０１７５】
すすむ・もどる・おわりボタンＡ６は、編集ツールや、消しゴムツールによって行った編集処理を、元に戻したり、やり直したり、編集処理自体を終了するための機能ボタンである。また、最初からボタンＡ７は、編集処理を最初からやり直すためのボタンである。そして、残り時間表示領域Ａ８には、編集処理を行うことのできる残り時間が表示される。
【０１７６】
また、編集対象画像表示領域Ａ１Ｌの付近には、非接触型ＩＣリーダ／ライタ部３６が配置されており、ユーザが、携帯端末１００を編集対象画像表示領域Ａ１Ｌの上にかざすと、非接触型ＩＣリーダ／ライタ部３６が、携帯端末１００が備える非接触型ＩＣ部１０２から特性情報および端末識別情報を読み出すとともに写真撮影プリント装置１の装置識別情報を送信する。これにより、写真撮影プリント装置１と、携帯端末１００との間で前述のハンドオーバー技術を用いた通信が開始され、編集対象画像表示領域Ａ１Ｌに表示されている編集画像６２の送受信を２者間で行う。また、編集対象画像表示領域Ａ１Ｒについても同様に非接触型ＩＣリーダ／ライタ部３６が配置されており、ユーザが、携帯端末１００を編集対象画像表示領域Ａ１Ｒの上にかざすと、編集対象画像表示領域Ａ１Ｒに表示されている編集画像６１の送受信を２者間で開始することができる。
【０１７７】
〔編集処理について〕
続いて、図９を用いて、写真撮影プリント装置１における編集処理に携帯端末１００が参加する場合の画面遷移の一例について説明する。図９は、写真撮影プリント装置１および携帯端末１００において編集処理を行う場合の画面遷移の一例を示す図である。
【０１７８】
図９の（ａ）、（ｂ）、（ｃ）は、写真撮影プリント装置１の編集画像表示部３４に表示される編集画面の遷移を示し、図９の（ｄ）、（ｅ）、（ｆ）は携帯端末１００における編集画面の遷移を示している。なお、図９の（ａ）、（ｂ）、（ｃ）は、図８を用いて説明した編集画面６０の中央部より左側の部分を示している。
【０１７９】
まず、編集処理の開始とともに、写真撮影プリント装置１では、図９の（ａ）の編集画面６０Ｌを表示する。そして、ユーザが、携帯端末１００を編集画像６２の上方にかざすと、写真撮影プリント装置１と、携帯端末１００との間の通信接続がハンドオーバー技術により確立される。
【０１８０】
続いて、編集画像６２が携帯端末１００向けに変換されて、写真撮影プリント装置１から携帯端末１００に送信される。
【０１８１】
携帯端末１００では、写真撮影プリント装置１から送信された端末用編集画像６２ａを受信すると、図９の（ｄ）に示すように、端末用編集画像６２ａを表示部１０４に表示する。端末用編集画像６２ａには、編集画像６２と同様の編集内容、すなわちハート型の落書きＴ１ａが施されている。また、表示部１０４には、携帯端末１００側で編集を行うための編集アイコンＢ１が表示される。携帯端末１００が備える操作部１０５に対してユーザが操作を行うことで、編集アイコンＢ１に提示されるスタンプアイコンを選択して、選択したアイコンに対応する合成用画像を端末用編集画像６２ａに追加することができる。
【０１８２】
そして、図９の（ｂ）に示すように、写真撮影プリント装置１において、編集画像６２にさらに「たのしい」という文字の落書きＴ２が追加されると、この編集内容を含む編集画像６２が変換されて携帯端末１００に送信される。
【０１８３】
携帯端末１００では、写真撮影プリント装置１から送信された端末用編集画像６２ａを受信すると、図９の（ｅ）に示すように、表示部１０４に端末用編集画像６２ａを表示する。端末用編集画像６２ａには、今度はハート型の落書きＴ１ａおよび文字の落書きＴ２ａが施されている。
【０１８４】
ここで、図９の（ｆ）に示すように、携帯端末１００において、ユーザの編集操作により端末用編集画像６２ａに対してハート型スタンプＴ３ａが追加されると、この編集内容を含む編集画像６２ａが送信される。
【０１８５】
写真撮影プリント装置１は、編集画像６２ａを受信すると、編集画像６２ａを写真撮影プリント装置１向けに変換して編集画像表示部３４に表示する。図９の（ｃ）に示すように、編集画像表示部３４において、ハート型スタンプＴ３を含む編集画像６２が表示される。
【０１８６】
〔編集処理のフローについて〕
次に、図１０を用いて、写真撮影プリント装置１および携帯端末１００の編集処理の流れについて説明する。図１０は、写真撮影プリント装置１および携帯端末１００の編集処理の流れについて示したフローチャートである。
【０１８７】
まず、写真撮影プリント装置１の編集制御部１３は、ユーザに編集する画像を選択させて編集対象画像を取得する（Ｓ２０１）。次に、編集制御部１３は、シール紙に印刷する際のレイアウトをユーザに選択させる（Ｓ２０２）。ここで、編集制御部１３は、編集画像表示部３４に編集開始ボタンを表示して、当該編集開始ボタンが操作されたかを判定する（Ｓ２０３）。そして、編集開始ボタンが操作されたと判定すると（Ｓ２０３においてＹＥＳ）、編集制御部１３は編集画面６０に編集画像を表示し、操作受付部３５において編集操作入力の受付を開始する（Ｓ２０４）。
【０１８８】
その一方で、携帯端末１００では、編集処理用のアプリケーションを起動し、制御部１０１の各部を稼動状態にさせる（Ｓ３０１）。そして、ユーザがいずれかの編集対象画像表示領域Ａ１に表示されている編集対象画像付近に携帯端末１００をかざすと、写真撮影プリント装置１と、携帯端末１００との間で、前述のハンドオーバー技術を用いた通信が開始される（Ｓ３０２）。
【０１８９】
そして、写真撮影プリント装置１の画像送信処理部１５２が、携帯端末１００をかざされた方の編集対象画像を携帯端末１００に送信する（Ｓ２０５）。その一方で、携帯端末１００の画像受信部１１１が、編集対象画像を受信して、受信した編集対象画像を表示部１０４に表示する（Ｓ３０３）。
【０１９０】
続いて、写真撮影プリント装置１の画像編集処理部１３１が、編集対象画像に編集を施すと、画像送信処理部１５２が、編集対象画像の更新に応じて携帯端末１００に更新された編集対象画像を送信する（Ｓ２０６）。その一方で、携帯端末１００の画像受信部１１１が、更新された編集対象画像を受信して、受信した編集対象画像を表示部１０４に表示する（Ｓ３０４）。
【０１９１】
ここで、携帯端末１００において、受信画像編集処理部１１２が、受信した編集対象画像に編集を施すと、これに応じて画像返信部１１３が、編集が施された編集対象画像を返信画像として写真撮影プリント装置１に送信する（Ｓ３０５）。
【０１９２】
続いて、写真撮影プリント装置１の返信画像受信部１５４が、携帯端末１００から返信画像を受信すると、返信画像併合部１３３が、受信した返信画像と、編集している編集対象画像の編集内容をマージした画像を作成する。そして、編集画像表示部３４においてマージされた編集対象画像が表示される（Ｓ２０７）。
【０１９３】
その後、写真撮影プリント装置１では、編集画面上の終了ボタンが操作されたか否かを判定し（Ｓ２０８）、終了ボタンが操作されていなければ（Ｓ２０８においてＮＯ）、編集終了時間までの時間を表示するとともに、当該編集終了時間までの時間を携帯端末１００に通知する（Ｓ２０９）。そして、所定の時間が経過しているか否かを判定し（Ｓ２１０）、所定の時間が経過していなければ（Ｓ２０９においてＮＯ）再びＳ２０４に戻って操作を受け付ける。
【０１９４】
Ｓ２０８において、終了ボタンが操作されていると（Ｓ２０８においてＹＥＳ）、写真撮影プリント装置１において編集処理が終了することを携帯端末１００に通知して、編集操作入力の受付を終了する（Ｓ２１１）。
【０１９５】
また、Ｓ２１０において所定の時間が経過していると（Ｓ２１０においてＹＥＳ）編集操作入力の受付を終了する（Ｓ２１１）。
【０１９６】
その一方で、携帯端末１００においても、写真撮影プリント装置１において編集処理が終了することが通知されたか否かを判定し（Ｓ３０６）、上記の通知がされていなければ（Ｓ３０６においてＮＯ）、写真撮影プリント装置１から編集終了時間までの時間を受信し、その時間を表示する（Ｓ３０７）。そして、所定の時間が経過しているか否かを判定し（Ｓ３０８）、所定の時間が経過していなければ（Ｓ３０８においてＮＯ）再びＳ３０３に戻って操作を受け付ける。
【０１９７】
Ｓ３０６において、終了ボタンが操作されていたか（Ｓ３０６においてＹＥＳ）、また、Ｓ３０８において所定の時間が経過していると（Ｓ３０８においてＹＥＳ）編集が終了した旨を表示部１０４に表示する。そして、編集処理用アプリケーションを終了し、編集処理を終了する（Ｓ３１０）。
【０１９８】
以上のように本実施形態に係る写真撮影プリント装置１は、ユーザを撮影して画像を得る撮影機能を提供する撮影制御部１２、撮影制御部１２が提供する撮影機能により得られた画像を編集する編集機能を提供する編集制御部１３および通信制御部１５を備えている。そして、編集制御部１３が、画像を編集するための上記ユーザによる操作を受け付け、受け付けた操作に応じて、画像を編集し、編集した画像を表示するための画像編集処理部１３１を備え、通信制御部１５が、所定の時間間隔、および、画像編集処理部１３１による編集により画像が更新されたタイミングの少なくとも一方において、画像編集処理部１３１が編集している画像を、携帯端末１００に対して送信する画像送信処理部１５２と、を備えている。
【０１９９】
それゆえ、写真撮影プリント装置１が備える編集用インターフェースの数をこえる複数のユーザが、携帯端末１００を用いて、編集の過程に参加することが可能となる。
【０２００】
〔変形例〕
以下において、図１１〜１３を用いて本実施形態の好ましい変形例について説明する。まず、図１１を用いて、携帯端末１００における編集対象画像の編集に制限をかける例について説明する。図１１は、編集対象画像の編集処理の排他制御について示した図である。本実施形態において、編集画像６２を、いくつかの領域に分割してそれぞれの領域について携帯端末１００の編集を許可するか否かについての編集制限設定を行ってもよい。
【０２０１】
例えば、画像送信処理部１５２において、編集画像６２を携帯端末１００に送る際に、図１１に示すように編集画像６２を４つの領域Ｒ１〜Ｒ４に分割して、領域Ｒ１を携帯端末１００が編集可能な領域と設定し、また領域Ｒ２を携帯端末１００が編集不可能な領域と設定し、設定した編集制限設定を編集画像６２とともに、携帯端末１００に送信するように構成することができる。
【０２０２】
このような構成によると、携帯端末１００の受信画像編集処理部１１２において、写真撮影プリント装置１から編集画像６２とともに送信される編集制限設定を判別して携帯端末１００での編集を制限することができる。
【０２０３】
この場合、携帯端末１００では、領域Ｒ１については編集可能であるが、領域Ｒ２については編集できない。
【０２０４】
このように構成することで、写真撮影プリント装置１で編集を行っているユーザが、他のユーザに編集してほしくない領域を設定することができる。この結果、自分が編集している画像に、他のユーザが、自分が意図しない編集を行うことを防ぐことができる。
【０２０５】
なお、領域の分割については、このような例に限られず任意のパターンで行うことができる。また、領域の分割や、編集制限設定を携帯端末１００で行うようにしてもよい。
【０２０６】
次に、図１２を用いて、写真撮影プリント装置１において編集中の編集画像の編集リストを送信して、携帯端末１００側で選択する場合について説明する。図１２は、写真撮影プリント装置１および携帯端末１００における編集処理の一例について示した図である。
【０２０７】
図１２の（ａ）は写真撮影プリント装置１において編集中の画面の一部である編集画面６０Ｌを示している。ここで、写真撮影プリント装置１では、図８で示したように、編集画像６１および６２を編集しているものとする。
【０２０８】
ユーザが携帯端末１００を、編集画像６２の表示領域の上方にかざすと、画像送信処理部１５２が、編集中の編集画像６１に対応するサムネイル画像６６および編集画像６２に対応するサムネイル画像６５を作成して、編集リストとして携帯端末１００に送信する。
【０２０９】
携帯端末１００では、画像選択部１１４が、図１２の（ｃ）に示すように、受信した編集リストを表示する。図１２の（ｃ）に示すように、携帯端末１００が備える表示部１０４において、編集画像６１に対応するサムネイル画像６６および編集画像６２に対応するサムネイル画像６５が表示される。また、編集リストの表示画面では、携帯端末１００をかざしたほうの編集画像６２に対応するサムネイル画像６５が、デフォルトで選択されている。
【０２１０】
ここで、携帯端末１００において、ユーザが操作部１０５を操作して、「ＯＫ」ボタン６７を選択すると、画像選択部１１４が、編集画像６２を送信するよう写真撮影プリント装置１に要求する。
【０２１１】
当該要求に応じて、写真撮影プリント装置１では、図１２の（ｂ）に示すように編集画像６２を携帯端末１００に送信するとともに、編集画面６０Ｌに携帯端末１００が接続している旨を示す接続アイコン６４を表示する。
【０２１２】
その後、図１２の（ｄ）に示すように、携帯端末１００は、写真撮影プリント装置１から、編集画像６２ａを受信して表示部１０４に表示する。
【０２１３】
このように写真撮影プリント装置１は、編集中の編集対象画像を一覧化した編集リストを携帯端末１００に送信するので、携帯端末１００において、写真撮影プリント装置１における編集対象画像を容易に把握できる。このような構成は、編集用インターフェースの数が多い場合は、所望の編集画像を編集している編集用インターフェースまでタッチしにいかなくても済み特に有効である。
【０２１４】
具体的には、これまで説明した構成では、ユーザは、編集する編集画像を写真撮影プリント装置１において表示されている編集対象画像の表示領域のいずれかを選択してタッチしなければならなかった。また、例えば、写真撮影プリント装置１の編集対象画像表示領域Ａ１Ｒ側にユーザがいる場合は、反対側の編集対象画像表示領域Ａ１Ｌ側の編集画像にはタッチしにくい。
【０２１５】
これに対し、図１２を用いて説明した構成を採用すると、例えば、編集対象画像表示領域Ａ１Ｒ側にユーザがいる場合でも、編集対象画像表示領域Ａ１Ｒにタッチすれば、編集リストから、反対側の編集対象画像表示領域Ａ１Ｌ側の編集画像を選択できる。このようにユーザがいる位置により編集対象画像にタッチしにくくなるということを防ぐことができる。なお、この場合、タッチを検知するための非接触型ＩＣリーダ／ライタ部３６を別の位置に配置することも可能であり、さらにユーザがタッチしやすい場所、例えば、編集画面６０の外周、特に左右付近に配置することができる。
【０２１６】
また、上述の構成では、非接触型ＩＣリーダ／ライタ部３６を左右の編集対象画像表示領域Ａ１のそれぞれに設置する構成としたが、非接触型ＩＣリーダ／ライタ部３６を１つだけ設置してもよく、コストダウンが図れる。
【０２１７】
次に、図１３を用いて、編集を行うために写真撮影プリント装置１と通信している携帯端末１００の接続を切断する例について説明する。図１３は、写真撮影プリント装置１と通信している携帯端末１００の接続を切断する処理の一例について説明した図である。
【０２１８】
図１３の（ａ）に示すように、編集を行うために携帯端末１００が写真撮影プリント装置１と接続されている場合、編集制御部１３は、編集画面６０Ｌに携帯端末１００が接続している旨を示す接続アイコン７１を表示する。図１３の（ａ）に示す例では、携帯端末１００は、編集画像６２を編集するために写真撮影プリント装置１に接続しており、編集画像６２の付近に接続アイコン７１が表示されている。
【０２１９】
ここで、操作受付部３５において、接続アイコン７１の表示領域がタッチされたことを検知した場合、編集画像表示部３４において「携帯の接続を切りますか？」という切断ダイアログ７２を表示する。この切断ダイアログ７２において、「ＯＫ」が選択された場合、通信制御部１５は、編集画像６２を編集している携帯端末１００との接続を切断する。一方で、「やめる」が選択された場合は、切断ダイアログ７２を閉じる。
【０２２０】
なお、携帯端末１００が写真撮影プリント装置１に接続してきたときに、自動的に切断ダイアログ７２を表示させてもかまわない。また、切断ダイアログ７２を表示させないで、接続アイコン７１の表示領域がタッチされたことを検知した時点で、携帯端末１００との切断／接続を切り替えるように構成してもかまわない。また、このとき接続アイコン７１を携帯端末１００との通信が切断している旨を示すアイコンに変更するようにしてもかまわない。
【０２２１】
また、図１３の（ｂ）に示すように画像選択領域Ａ５においてサムネイル画像Ｐ１〜Ｐ６の付近に携帯端末１００が接続中である旨のタブ表示してもよい。この場合も、タブ表示領域がタッチされたことを検知して、上述のような切断ダイアログ７４を表示してもよい。また、携帯端末１００との通信を切断した場合、タブ表示および「携帯電話接続中」の表示は消してもよい。
【０２２２】
また、画像選択領域Ａ５において編集中の編集対象画像と異なる編集対象画像が選択された場合、これに伴い、携帯端末１００も選択された編集対象画像を編集することが可能になるよう構成してもよい。
【０２２３】
このように、携帯端末１００との接続を写真撮影プリント装置１側で切断できるように構成することにより、誤操作や、ユーザの意に反してユーザのグループ以外の他人が編集に参加してくることを防ぐことができる。
【０２２４】
以下において、さらに別の変形例について説明する。まず、本実施形態では、編集画像の送信時に、写真撮影プリント装置１側で、携帯端末１００に適した画像形式に編集画像を変換しているが、これに限られず、携帯端末１００側でこのような処理を行ってもよい。このように構成した場合、新しい型の携帯端末１００が製造されても、写真撮影プリント装置１側において、その型の携帯端末１００向けの変換処理機能を新たに追加しなくてもよいというメリットがある。
【０２２５】
上述の構成では、写真撮影プリント装置１や携帯端末１００に適した画像形式の編集画像を順次送信するようにしたが、１度編集画像を送信した後は、編集内容である合成用画像のみを送信するようにしてもよい。この場合、送信する合成用画像を写真撮影プリント装置１や携帯端末１００に適した画像形式に変換して送信してもよいし、携帯端末１００から写真撮影プリント装置１へ送信する合成用画像は携帯端末１００で編集した合成用画像の大きさのまま（小さい合成用画像のまま）送信してもよい。このように、編集内容である合成用画像のみを送信する場合、送信画像データの容量が少なくてすむため、より送受信に時間がかからない。
【０２２６】
また、写真撮影プリント装置１から携帯端末１００に編集画像を送信する際、写真撮影プリント装置１で編集した編集画像の大きさのまま（大きい編集内容が合成された編集画像）送信してもよい。このように、受信画像データの容量が多くなるが、携帯端末１００で編集画像を拡大せずに細かな編集を施すことができる。
【０２２７】
また、以上の説明では特に触れなかったが、携帯端末１００に送信するサムネイル画像を携帯端末１００が処理するのに適したデータ形式に変換するようにしてもよい。
【０２２８】
また、携帯端末１００が、以上において説明した画像編集機能のみならず、画像保存機能を備えていてもよい。携帯端末１００が、編集中の編集画像を任意のタイミングで保存できるように構成すれば、わざわざ編集処理終了後に編集画像を写真撮影プリント装置からダウンロードしなくてもよくなるというメリットがある。
【０２２９】
また、上述の構成において、携帯端末１００に画像保存機能が備わっている場合、編集画像を動画像や静止画像として保存するようにしてもよい。この場合、例えば、携帯端末１００において、編集中画像を複数枚保存しておけば、保存した画像を順番に展開することにより簡易なアニメーション（いわゆるパラパラ漫画）として楽しむことができたり、後日編集工程を確認したりすることができる。
【０２３０】
[実施形態２]
本発明の他の実施形態を図１４〜図１９に基づいて説明すると以下の通りである。
【０２３１】
実施形態１では、写真撮影プリント装置１が編集中の編集対象画像のみ携帯端末１００から編集可能な構成であった。これに対して、本実施形態では、写真撮影プリント装置１において編集可能なすべての編集画像を携帯端末１００から編集可能に構成されている点で実施形態１と異なる。
【０２３２】
このような構成は、実施形態１において説明した構成を次のように変更して実現できる。まず、写真撮影プリント装置１が、通信部６を介して携帯端末１００と接続されたときに、画像送信処理部１５２が、写真撮影プリント装置１において編集可能なすべての編集画像を一覧化した編集リストを作成し、画像送信処理部１５２が、作成した編集リストを携帯端末１００に送信する。
【０２３３】
そして、携帯端末１００では、写真撮影プリント装置１から受信した編集リストを画像選択部１１４が表示部１０４に表示させて、操作部１０５において編集リストに含まれる編集画像の選択を受け付ける。そして、編集リストから編集画像が選択されると、画像選択部１１４が、選択された編集画像の送信を写真撮影プリント装置１に要求する。
【０２３４】
写真撮影プリント装置１の画像送信処理部１５２は、要求された編集画像を携帯端末１００に送信する。
【０２３５】
以上のような構成により、写真撮影プリント装置１において編集可能なすべての編集画像を携帯端末１００から編集できるような構成が実現できる。以下において、このような構成の詳細について説明する。
【０２３６】
まず、図１４を用いて、携帯端末１００が、写真撮影プリント装置１において編集可能なすべての編集画像を一覧化した編集リストから、編集画像を選択する場合について説明する。図１４は、携帯端末１００に編集リストから編集画像を選択させる場合について説明した図である。
【０２３７】
まず、図１４の（ａ）は、写真撮影プリント装置１において編集中の画面の一部である編集画面６０Ｌを示している。ここで、写真撮影プリント装置１では、図８で示したように、サムネイル画像Ｐ４に対応する編集対象画像６１およびサムネイル画像Ｐ１に対応する編集対象画像６２を編集しているものとする。
【０２３８】
ユーザが携帯端末１００を編集画像６２が表示されている領域の上方にかざすと、画像送信処理部１５２が、写真撮影プリント装置１において編集可能なすべての編集画像、すなわち、編集対象画像選択領域Ａ５において選択できる編集画像のサムネイル画像Ｐ１〜Ｐ６を作成して、編集リストとして携帯端末１００に送信する。
【０２３９】
携帯端末１００では、画像選択部１１４が、図１４の（ｃ）に示すように、受信した編集リストを表示する。この編集リストの表示では、サムネイル画像Ｐ１〜Ｐ６が表示され選択可能になっている。
【０２４０】
ここで、ユーザが操作部１０５を操作してサムネイル画像Ｐ３を選択すると、画像選択部１１４は、選択されたサムネイル画像Ｐ３に対応する編集画像を送信するよう写真撮影プリント装置１に要求する。
【０２４１】
当該要求に応じて、写真撮影プリント装置１では、サムネイル画像Ｐ３に対応する編集画像８１を携帯端末１００に送信するとともに、図１４の（ｂ）に示すように編集画面６０Ｌに携帯端末１００が接続している旨を示す接続アイコン７５を表示する。
【０２４２】
その後、図１４の（ｄ）に示すように、携帯端末１００は、写真撮影プリント装置１から編集対象画像８１を受信して表示部１０４に表示する。
【０２４３】
続いて、図１５を用いて、このような構成の変形例について説明する。図１５は、写真撮影プリント装置１で編集している編集対象画像を排他制御する場合について説明した図である。
【０２４４】
図１５の（ａ）および（ｂ）は、いずれも、写真撮影プリント装置１が、図８で示したように、サムネイル画像Ｐ４に対応する編集画像６１およびサムネイル画像Ｐ１に対応する編集画像６２が編集対象画像となっている場合について示している。
【０２４５】
まず、図１５の（ａ）では、サムネイル画像Ｐ１およびＰ４には、「シール機落書き中」というメッセージが表示されており、携帯端末１００が選択できないようになっている。つまり、写真撮影プリント装置１が編集している編集対象画像は、携帯端末１００において編集する画像として選択することができない。
【０２４６】
このような動作は、例えば次のように構成することで実現できる。まず、画像送信処理部１５２が編集リストを作成する際に、画像編集処理部１３１が編集している編集対象画像を検知する。そして、画像送信処理部１５２が、検知した編集中の編集対象画像について、携帯端末１００では選択できないことを示す制御情報を付加した編集リストを作成する。
【０２４７】
図１５の（ａ）に示す例では、サムネイル画像Ｐ４に対応する編集画像６１およびサムネイル画像Ｐ１に対応する編集画像６２が編集対象画像であるので、サムネイル画像Ｐ１およびＰ４に対応する編集画像が選択できないことを示す制御情報を編集リストに付加する。携帯端末１００では、このような制御情報を読み取り携帯端末１００では、サムネイル画像Ｐ１およびＰ４に対応する編集画像が選択できないように上記の表示および制御を行う。
【０２４８】
このような構成により、写真撮影プリント装置１において編集中の編集対象画像が、携帯端末１００では編集対象として選択できないようにすることができる。
【０２４９】
次に、図１５の（ｂ）では、サムネイル画像Ｐ１およびＰ４が、編集リストに含まれておらず、携帯端末１００において編集する画像として選択することができない。
【０２５０】
このような動作は、画像送信処理部１５２が編集リストを作成する際に、画像編集処理部１３１が編集している編集対象画像を編集リストに含めないような構成とすることで実現可能である。あるいは、携帯端末１００側で、編集できない画像については表示しないように制御してもよい。
【０２５１】
続いて、図１６および図１７を用いて、写真撮影プリント装置１に、携帯端末１００Ａが接続して画像を編集しているときに、さらに携帯端末１００Ｂが写真撮影プリント装置１に接続してきたときの動作について説明する。ここでは、携帯端末１００Ａおよび１００Ｂは、これまで説明してきた携帯端末１００と同様の構成を備えるものであるとする。
【０２５２】
図１６は、写真撮影プリント装置１、携帯端末１００Ａおよび携帯端末１００Ｂが編集処理を行う場合の一例について説明した図である。また、図１７は、その変形例を示す図である。
【０２５３】
図１６の（ａ）、（ｂ）、（ｄ）および（ｅ）については、図１４の（ａ）〜（ｄ）および図１５の（ａ）を用いて説明した動作と同様であるのでその説明を省略する。
【０２５４】
つまり、図１６の（ａ）、（ｂ）、（ｄ）および（ｅ）は、１台の携帯端末１００Ａが、写真撮影プリント装置１から、サムネイル画像Ｐ３に対応する編集画像を取得する過程を表している。また、図１６の（ｂ）では、携帯端末１００Ａが接続している旨を示す接続アイコン７５が表示されている。
【０２５５】
ここで、さらにもう１台の携帯端末１００Ｂが写真撮影プリント装置１に接続してくると、写真撮影プリント装置１は、再び編集リストを作成し携帯端末１００Ｂに送信する。そして、図１６の（ｆ）に示すような、編集リストが携帯端末１００Ｂに表示される。すなわち、写真撮影プリント装置１において編集されているサムネイル画像Ｐ１およびＰ４には、「シール機落書き中」と表示され、サムネイル画像Ｐ３には、「携帯接続中」と表示され、いずれも携帯端末１００Ｂは選択することができない。
【０２５６】
そこで、図１６の（ｆ）では、携帯端末１００Ｂは、編集可能となっているサムネイル画像Ｐ５を選択して、サムネイル画像Ｐ５に対応する編集画像８２を送信するよう写真撮影プリント装置１に要求する。
【０２５７】
当該要求に応じて、写真撮影プリント装置１では、サムネイル画像Ｐ５に対応する編集画像８２を携帯端末１００に送信するとともに、図１６の（ｃ）に示すように編集画面６０Ｌに携帯端末１００Ｂが接続している旨を示す接続アイコン７６を表示する。
【０２５８】
その後、図１６の（ｇ）に示すように、携帯端末１００Ｂは、写真撮影プリント装置１から編集対象画像８２を受信して表示部１０４に表示する。
【０２５９】
なお、図１７に示すように、写真撮影プリント装置１から携帯端末１００Ｂに送信する編集リストにおいて、携帯端末１００Ｂが編集不可能な編集画像については表示しないようにすることも可能である。このような動作を実現する構成については図１５を用いて説明済みであるのでここではその説明を省略する。また、排他制御を行わないような構成とすることも可能である。
【０２６０】
また、写真撮影プリント装置１において編集可能なすべての編集画像が、すでに写真撮影プリント装置１または携帯端末１００によって編集されてしまっている場合に、さらに別の携帯端末１００が写真撮影プリント装置１に接続してきたときは、閲覧だけは許可するように制御してもよい。
【０２６１】
続いて、図１８および図１９を用いて、写真撮影プリント装置１に複数台の携帯端末１００が接続している場合に、写真撮影プリント装置１において携帯端末１００の接続を切断する処理の一例について説明する。図１８および図１９は、写真撮影プリント装置１と通信している携帯端末１００の接続を切断する処理の一例を示す図である。
【０２６２】
またここでは、写真撮影プリント装置１に３台の携帯端末１００が接続しており、サムネイル画像Ｐ１、Ｐ３、Ｐ５に対応する編集画像が携帯端末１００によって編集されているものとする。
【０２６３】
図１８に示すように、編集制御部１３は、編集画面６０に、写真撮影プリント装置１に接続している携帯端末１００が存在することを示す接続アイコン７７を表示する。
【０２６４】
ここで、操作受付部３５において、接続アイコン７１の表示領域がタッチされたことを検知した場合、編集画像表示部３４において「携帯の接続を切りますか？」という切断ダイアログ７８を表示する。
【０２６５】
この切断ダイアログ７８は、携帯端末１００が、写真撮影プリント装置１において編集している編集対象画像以外の画像を編集していても表示される。そして、この切断ダイアログ７８において、「ＯＫ」が選択された場合、通信制御部１５は、写真撮影プリント装置１に接続しているすべての携帯端末１００との接続を切断する。
【０２６６】
また、図１９に示すように、編集制御部１３は、編集画面６０に、写真撮影プリント装置１に接続している携帯端末１００が有ることを示す接続アイコン７７を表示する。
【０２６７】
ここで、操作受付部３５において、接続アイコン７１の表示領域がタッチされたことを検知した場合、編集画像表示部３４において「携帯に接続をされている画像です。接続を切る画像を選択してね？」という切断ダイアログ７９を表示する。
【０２６８】
この切断ダイアログ７９では、携帯端末１００が編集している編集画像に対応するサムネイル画像Ｐ１、Ｐ３、Ｐ５がアイコン表示される。そして、いずれかの編集画像が選択され「ＯＫ」が選択された場合、通信制御部１５は、選択された編集画像を編集している携帯端末１００との接続を切断する。
【０２６９】
このように構成することで、誤操作や、ユーザの意に反してユーザのグループ以外の他人が編集に参加してくることを防ぐことができる。
【０２７０】
また、上述の構成においても、非接触型ＩＣリーダ／ライタ部３６を左右の編集対象画像表示領域Ａ１のそれぞれに設置する構成としていたが、非接触型ＩＣリーダ／ライタ部３６を１つだけ設置してもよく、コストダウンが図れる。
【０２７１】
また、携帯端末１００による編集処理の終了トリガーは、図１０に示すＳ３０６やＳ３０８においてＹＥＳとなること以外に、写真撮影プリント装置１の編集処理時間の終了時に強制的に終了してもよく、この場合、携帯端末１００へ写真撮影プリント装置１での編集が終了された旨を通知してもよい。
【０２７２】
また、写真撮影プリント装置１に設置されている編集用インターフェースでの編集処理が終了してから所定のタイミングまでは、携帯端末１００での編集処理を継続して行わせるようにしてもよい。この所定のタイミングは、例えば、写真撮影プリント装置１のゲームが終了した時、または、次の写真撮影プリント装置１を利用するユーザがゲームを開始した時、または、撮影処理を開始した時、または、撮影処理を終了した時、または、開始から所定時間が経過した時とすることができる。
【０２７３】
この場合、印刷される写真シール紙には編集処理の内容が反映されないが、携帯端末１００上では編集処理を継続して楽しむことができる。
【０２７４】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【０２７５】
最後に、写真撮影プリント装置１および携帯端末１００の各ブロック、特に写真撮影プリント装置１が備える課金制御部１１、撮影制御部１２、編集制御部１３、印刷制御部１４および通信制御部１５ならびに携帯端末１００が備える画像受信部１１１、受信画像編集処理部１１２、画像返信部１１３および画像選択部１１４は、ハードウェアロジックによって構成してもよいし、次のようにＣＰＵを用いてソフトウェアによって実現してもよい。
【０２７６】
すなわち、写真撮影プリント装置１および携帯端末１００は、各機能を実現する制御プログラムの命令を実行するＣＰＵ（central processing unit）、上記プログラムを格納したＲＯＭ、上記プログラムを展開するＲＡＭ（random access memory）、上記プログラムおよび各種データを格納するメモリ等の記憶装置（記録媒体）などを備えている。そして、本発明の目的は、上述した機能を実現するソフトウェアである写真撮影プリント装置１および携帯端末１００の制御プログラムのプログラムコード（実行形式プログラム、中間コードプログラム、ソースプログラム）をコンピュータで読み取り可能に記録した記録媒体を、上記写真撮影プリント装置１および携帯端末１００に供給し、そのコンピュータ（またはＣＰＵやＭＰＵ）が記録媒体に記録されているプログラムコードを読み出し実行することによっても、達成可能である。
【０２７７】
上記記録媒体としては、例えば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。
【０２７８】
また、写真撮影プリント装置１および携帯端末１００を通信ネットワークと接続可能に構成し、上記プログラムコードを通信ネットワークを介して供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【産業上の利用可能性】
【０２７９】
本発明によれば、撮影画像編集装置に設置されている編集用インターフェースの数をこえる複数のユーザが容易に編集に参加することができる。このため、１台の画像編集装置に複数の画像処理端末が接続されるような形態の編集システムにおいて好適に適用できる。例えば、撮影画像編集装置の適用例としては写真撮影プリント装置が挙げられ、画像処理端末の適用例としては、携帯電話機、携帯ゲーム機およびＰＤＡ等が挙げられる。
【図面の簡単な説明】
【０２８０】
【図１】本発明の一実施形態に係る写真撮影プリント装置が備える制御部の要部構成に詳細に示したブロック図である。
【図２】上記写真撮影プリント装置の要部構成を示すブロック図である。
【図３】上記写真撮影プリント装置の外観を示す斜視図であり、（ａ）および（ｂ）は、それぞれ異なる方向から見た上記写真撮影プリント装置の外観を示している。
【図４】上記写真撮影プリント装置の編集部の正面図である。
【図５】上記写真撮影プリント装置の印刷部の正面図である。
【図６】写真撮影プリント装置における写真シール作成ゲームの処理の流れについて示したフローチャートである。
【図７】本発明の一実施形態に係る携帯端末の要部構成を示したブロック図である。
【図８】編集処理において編集画像表示部に表示される画面の一例を示す図である。
【図９】上記写真撮影プリント装置および上記携帯端末において編集処理を行う場合の画面遷移の一例を示す図である。
【図１０】上記写真撮影プリント装置および上記携帯端末の編集処理の流れについて示したフローチャートである。
【図１１】編集対象画像の編集処理の排他制御について示した図である。
【図１２】上記写真撮影プリント装置および上記携帯端末における編集処理の一例について示した図である。
【図１３】上記写真撮影プリント装置と通信している上記携帯端末の接続を切断する処理の一例について説明した図である。
【図１４】本発明の他の実施形態に係る携帯端末に編集リストから編集画像を選択させる場合について説明した図である。
【図１５】本発明の他の実施形態に係る写真撮影プリント装置で編集している編集対象画像を排他制御する場合について説明した図である。
【図１６】上記写真撮影プリント装置および２台の携帯端末が編集処理を行う場合の一例について説明した図である。
【図１７】上記写真撮影プリント装置および２台の携帯端末が編集処理を行う場合の一例について説明した図である。
【図１８】上記写真撮影プリント装置と通信している上記携帯端末の接続を切断する処理の一例を示す図である。
【図１９】上記写真撮影プリント装置と通信している上記携帯端末の接続を切断する処理の一例を示す図である。
【符号の説明】
【０２８１】
１  写真撮影プリント装置（撮影画像編集装置）
６  通信部
１０  制御部
１１  課金制御部（料金徴収検知手段）
１２  撮影制御部（撮影機能提供手段）
１３  編集制御部（編集機能提供手段）
１５  通信制御部（編集機能提供手段、通信制御手段）
２１  硬貨処理部
２４  撮影画像表示部
３  編集部
３１  タッチパネル部
３４  編集画像表示部
３５  操作受付部
３６  非接触型ＩＣリーダ／ライタ部（読み取り部）
３ａ  編集部
３ｂ  編集部
５０  記憶部
５１  撮影画像記憶部
５２  編集画像記憶部
１００  携帯端末（画像処理端末）
１０１  制御部
１０２  非接触型ＩＣ部（非接触型ＩＣ）
１０３  通信部（通信接続手段）
１０４  表示部（表示手段）
１０５  操作部
１１１  画像受信部（画像受信手段）
１１２  受信画像編集処理部（画像加工手段）
１１３  画像返信部（加工画像送信手段）
１１４  画像選択部
１３１  画像編集処理部（画像編集手段、表示手段、操作受付手段）
１３３  返信画像併合部（反映手段）
１５０  記憶部
１５１  通信先特定部
１５２  画像送信処理部（画像送信手段、制限情報生成手段、サムネイル画像送信手段）
１５３  画像変換部
１５４  返信画像受信部（加工画像受信手段）
２００  近距離無線通信網
３００  画像編集処理システム
【図１】
2010128967.tif 000003
【図２】
2010128967.tif 000004
【図３】
2010128967.tif 000005
【図４】
2010128967.tif 000006
【図５】
2010128967.tif 000007
【図６】
2010128967.tif 000008
【図７】
2010128967.tif 000009
【図８】
2010128967.tif 000010
【図９】
2010128967.tif 000011
【図１０】
2010128967.tif 000012
【図１１】
2010128967.tif 000013
【図１２】
2010128967.tif 000014
【図１３】
2010128967.tif 000015
【図１４】
2010128967.tif 000016
【図１５】
2010128967.tif 000017
【図１６】
2010128967.tif 000018
【図１７】
2010128967.tif 000019
【図１８】
2010128967.tif 000020
【図１９】
2010128967.tif 000021